(57)【要約】【課題】操作コードを用いて遮蔽材を開閉させる手動遮蔽装置における遮蔽材の開閉状態を検知する開閉状態検知装置、当該開閉状態検知装置を備える手動遮蔽装置、及び遮蔽材状態検知システムを提供する。【解決手段】本発明の開閉状態検知装置７は、遮蔽材の開閉を検知するためのセンサーと、そのセンサーの出力値を基に手動遮蔽装置における遮蔽材の開閉状態を監視するよう制御する制御部７７１を有する制御ユニット７７と、当該遮蔽材の開閉状態を予め登録された通信端末５に直接又は間接的に通知するよう作動する近距離無線通信部７７３と、を備える。本発明の遮蔽材状態検知システム１は、移動端末５を持つユーザの少なくとも建物又は間仕切り領域からの外出時に、当該建物内又は間仕切り領域内の開閉状態検知装置７を有する所定の手動遮蔽装置６及び／又は電動遮蔽装置６Ｅの遮蔽材の開閉状態を移動端末５に通知するホームサーバー８を備える。【選択図】図１
2020153219.tif 000002
【特許請求の範囲】
【請求項１】
手動遮蔽装置における遮蔽材の開閉状態を検知して予め登録された通信端末に通知するための開閉状態検知装置であって、
前記遮蔽材の開閉を検知するためのセンサーと、
前記センサーの出力値を基に前記遮蔽材の開閉状態を演算して記憶部に記憶保持し監視するよう制御する制御部と、
前記遮蔽材の開閉状態を当該通信端末に直接又は間接的に通知するよう作動する通信部と、
を備えることを特徴とする開閉状態検知装置。
【請求項２】
前記センサーの出力値を基に前記遮蔽材の開閉位置に係る上限及び下限を設定し前記記憶部に記憶保持させる設定部を更に備え、
前記制御部は、前記センサーの出力値を基に前記遮蔽材の開閉位置に係る上限及び下限に対する相対値から前記遮蔽材の開閉状態を演算することを特徴とする、請求項１に記載の開閉状態検知装置。
【請求項３】
前記設定部に対し前記遮蔽材の開閉位置に係る上限及び下限を設定するためのユーザインタフェースとしての設定操作部を更に備えることを特徴とする、請求項１又は２に記載の開閉状態検知装置。
【請求項４】
前記設定部は、当該開閉状態検知装置を識別するデバイスＩＤを設定し前記記憶部に記憶保持させる機能を有し、
前記通信部は、前記デバイスＩＤと共に前記遮蔽材の開閉状態を当該通信端末に通知することを特徴とする、請求項１から３のいずれか一項に記載の開閉状態検知装置。
【請求項５】
当該開閉状態検知装置に電源供給するバッテリーを更に備え、
前記バッテリーは、外部電源との接続で充電可能とする充電端子を有することを特徴とする、請求項１から４のいずれか一項に記載の開閉状態検知装置。
【請求項６】
前記プーリーの回転軸に前記バッテリーを充電するためのオルタネーターが設けられていることを特徴とする、請求項５に記載の開閉状態検知装置。
【請求項７】
当該手動遮蔽装置における遮蔽材の開閉を操作するための操作コードに取り付けられるプーリーを更に備え、
前記センサーは、該プーリーの回転量を前記センサーの出力値として検知するエンコーダーからなることを特徴とする、請求項１から６のいずれか一項に記載の開閉状態検知装置。
【請求項８】
前記操作コードが当該手動遮蔽装置のヘッドボックスから２本垂下する無端状の操作コードからなり、
前記プーリーは、２本垂下する操作コード間に着脱可能に取り付けられ、該２本の操作コードの相対移動で該プーリーが回転し該プーリーを回転可能に軸支する当該開閉状態検知装置の位置が不変に支持されるように構成されていることを特徴とする、請求項７に記載の開閉状態検知装置。
【請求項９】
当該開閉状態検知装置の本体が、チルト制御棒により角度調節可能な遮蔽材を有する手動遮蔽装置における該チルト制御棒に対して、又は、手動遮蔽装置が設置される壁枠に対して、或いは、当該遮蔽材を吊下支持するためのヘッドボックスに前記操作コードを導出するためのコード導出口が設けられた手動遮蔽装置における該コード導出口に対して固定され、前記プーリーは、無端状又は非無端状の操作コードに着脱可能に取り付けられて該操作コードの相対移動で回転するように構成されていることを特徴とする、請求項７に記載の開閉状態検知装置。
【請求項１０】
前記センサーは、当該手動遮蔽装置における畳み込み可能な遮蔽材の所定段おきに固着されるマイクロセンサーからなることを特徴とする、請求項１から５のいずれか一項に記載の開閉状態検知装置。
【請求項１１】
前記通信部は、当該通信端末として構成される移動端末と近距離無線通信経由又は通信網経由で通信接続するホームサーバーに対し、近距離無線通信による通信接続を行う機能を有し、前記ホームサーバーから前記遮蔽材の開閉状態を前記移動端末に通知させるよう前記ホームサーバーに対し遮蔽材の開閉状態を通知することを特徴とする、請求項１から１０のいずれか一項に記載の開閉状態検知装置。
【請求項１２】
前記通信部は、当該手動遮蔽装置を設置する建物又は間仕切り領域からの前記移動端末を持つユーザの外出又は入出を少なくとも前記建物の玄関又は間仕切り領域の壁部に設置されるビーコン通信機又はビーコン発信機からのビーコン信号を基に判定する外出判定機から、外出又は入出時であるとして判定されることで当該手動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする、請求項１１に記載の開閉状態検知装置。
【請求項１３】
前記通信部は、当該手動遮蔽装置を設置する建物又は間仕切り領域からの前記移動端末を持つユーザの外出を前記建物の玄関又は間仕切り領域の壁部及び前記建物内又は間仕切り領域内にそれぞれ設置されるビーコン通信機又はビーコン発信機からの２つのビーコン信号を基に判定する外出判定機から、外出時であるとして判定されることで当該手動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする、請求項１１又は１２に記載の開閉状態検知装置。
【請求項１４】
前記外出判定機が前記ホームサーバーに組み込まれており、
前記通信部は、該外出判定機が組み込まれた当該ホームサーバーから、外出又は入出時であるとして判定されることで当該手動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする、請求項１１から１３のいずれか一項に記載の開閉状態検知装置。
【請求項１５】
前記移動端末が当該手動遮蔽装置を設置する建物又は間仕切り領域からの前記移動端末を持つユーザの外出又は入出を前記ホームサーバーに判定させるべく少なくとも前記建物の玄関又は間仕切り領域の壁部に設置されるビーコン通信機又はビーコン発信機からのビーコン信号の受信を前記ホームサーバーに通知する機能を有しており、
前記通信部は、前記ホームサーバーから、外出又は入出時であるとして判定されることで当該手動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする、請求項１１に記載の開閉状態検知装置。
【請求項１６】
前記移動端末が当該手動遮蔽装置を設置する建物又は間仕切り領域からの前記移動端末を持つユーザの外出を前記ホームサーバーに判定させるべく前記建物の玄関又は間仕切り領域の壁部及び前記建物内又は間仕切り領域内にそれぞれ設置されるビーコン通信機又はビーコン発信機からの２つのビーコン信号の受信を前記ホームサーバーに通知する機能を有しており、
前記通信部は、前記ホームサーバーから、外出時であるとして判定されることで当該手動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする、請求項１１又は１２に記載の開閉状態検知装置。
【請求項１７】
前記移動端末が当該手動遮蔽装置を設置する建物又は間仕切り領域からの前記移動端末を持つユーザの外出又は入出を少なくとも前記建物の玄関又は間仕切り領域の壁部に設置されるビーコン通信機又はビーコン発信機からのビーコン信号を基に判定する機能を有しており、
前記通信部は、該移動端末から、外出又は入出時であるとして判定されることで当該手動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする、請求項１１に記載の開閉状態検知装置。
【請求項１８】
前記移動端末が当該手動遮蔽装置を設置する建物又は間仕切り領域からの前記移動端末を持つユーザの外出を前記建物の玄関又は間仕切り領域の壁及び前記建物内又は間仕切り領域内にそれぞれ設置されるビーコン通信機又はビーコン発信機からの２つのビーコン信号を基に判定する機能を有しており、
前記通信部は、該移動端末から、外出時であるとして判定されることで当該手動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする、請求項１１又は１２に記載の開閉状態検知装置。
【請求項１９】
前記通信部は、当該手動遮蔽装置を設置する建物又は間仕切り領域のＧＰＳ情報と、前記移動端末のＧＰＳ情報との差異で前記建物又は間仕切り領域からの外出時であるとして判定する前記移動端末から通知信号を受け付けて作動する前記ホームサーバーから、当該手動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする、請求項１０に記載の開閉状態検知装置。
【請求項２０】
前記建物の玄関又は間仕切り領域の壁部にスマートスピーカが設けられており、
前記通信部は、前記ホームサーバーから前記遮蔽材の開閉状態を前記スマートスピーカに通知させるよう前記ホームサーバーに対し遮蔽材の開閉状態を通知することを特徴とする、請求項１０に記載の開閉状態検知装置。
【請求項２１】
請求項１から２０のいずれか一項に記載の開閉状態検知装置が設置されていることを特徴とする手動遮蔽装置。
【請求項２２】
各々が連係動作するようユーザ登録された、請求項１１から２０のいずれか一項に記載の開閉状態検知装置を備える手動遮蔽装置と、前記ホームサーバーと、前記移動端末と、を備え、
前記ホームサーバーは、前記手動遮蔽装置の前記開閉状態検知装置から当該手動遮蔽装置における遮蔽材の開閉状態の通知を受信して記憶保持し、且つ該遮蔽材の開閉状態が設定された所定の通知条件を満たすときに該遮蔽材の開閉状態を前記移動端末に通知する機能を有することを特徴とする遮蔽材状態検知システム。
【請求項２３】
ユーザ登録された電動遮蔽装置を更に備え、
前記ホームサーバーは、前記ユーザ登録された電動遮蔽装置を更に管理し、前記手動遮蔽装置及び前記電動遮蔽装置からそれぞれの遮蔽材の開閉状態の通知を受信して記憶保持し、且つ該遮蔽材の開閉状態が設定された所定の通知条件を満たすときに該遮蔽材の開閉状態を前記移動端末に通知する機能を有することを特徴とする、請求項２２に記載の遮蔽材状態検知システム。
【請求項２４】
ユーザ登録された電動遮蔽装置と、
当該電動遮蔽装置における遮蔽材の開閉状態の通知を受信して記憶部に記憶保持し、且つ該遮蔽材の開閉状態が設定された所定の通知条件を満たすときに該遮蔽材の開閉状態を予め登録した移動端末に通知する機能を有するホームサーバーと、
を備えることを特徴とする遮蔽材状態検知システム。
【請求項２５】
当該電動遮蔽装置を設置する建物又は間仕切り領域からの前記移動端末を持つユーザの外出又は入出を少なくとも前記建物の玄関又は間仕切り領域の壁部に設置されるビーコン通信機又はビーコン発信機からのビーコン信号を基に判定する外出判定機を更に備え、
該ビーコン通信機又は該外出判定機から、外出又は入出時であるとして判定されることで当該電動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする、請求項２４に記載の遮蔽材状態検知システム。
【請求項２６】
当該電動遮蔽装置を設置する建物又は間仕切り領域からの前記移動端末を持つユーザの外出を前記建物の玄関又は間仕切り領域の壁部及び前記建物内又は間仕切り領域内にそれぞれ設置されるビーコン通信機又はビーコン発信機からの２つのビーコン信号を基に判定する外出判定機を更に備え、
該ビーコン通信機又は該外出判定機から、外出時であるとして判定されることで当該電動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする、請求項２４又は２５に記載の遮蔽材状態検知システム。
【請求項２７】
前記外出判定機が前記ホームサーバーに組み込まれており、
該外出判定機が組み込まれた当該ホームサーバーから、外出又は入出時であるとして判定されることで当該電動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする、請求項２５又は２６に記載の遮蔽材状態検知システム。
【請求項２８】
前記移動端末が当該電動遮蔽装置を設置する建物又は間仕切り領域からの前記移動端末を持つユーザの外出又は入出を前記ホームサーバーに判定させるべく少なくとも前記建物の玄関又は間仕切り領域の壁部に設置されるビーコン通信機又はビーコン発信機からのビーコン信号の受信を前記ホームサーバーに通知する機能を有しており、
当該電動遮蔽装置は、前記ホームサーバーから、外出又は入出時であるとして判定されることで当該電動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする、請求項２４に記載の遮蔽材状態検知システム。
【請求項２９】
前記移動端末が当該電動遮蔽装置を設置する建物又は間仕切り領域からの前記移動端末を持つユーザの外出を前記ホームサーバーに判定させるべく前記建物の玄関又は間仕切り領域の壁部及び前記建物内又は間仕切り領域内にそれぞれ設置されるビーコン通信機又はビーコン発信機からの２つのビーコン信号の受信を前記ホームサーバーに通知する機能を有しており、
当該電動遮蔽装置は、前記ホームサーバーから、外出時であるとして判定されることで当該電動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする、請求項２４又は２５に記載の遮蔽材状態検知システム。
【請求項３０】
前記移動端末が当該電動遮蔽装置を設置する建物又は間仕切り領域からの前記移動端末を持つユーザの外出又は入出を少なくとも前記建物の玄関又は間仕切り領域の壁部に設置されるビーコン通信機又はビーコン発信機からのビーコン信号を基に判定する機能を有しており、
当該電動遮蔽装置は、該移動端末から、外出又は入出時であるとして判定されることで当該電動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする、請求項２４に記載の遮蔽材状態検知システム。
【請求項３１】
前記移動端末が当該電動遮蔽装置を設置する建物又は間仕切り領域からの前記移動端末を持つユーザの外出を前記建物の玄関又は間仕切り領域の壁部及び前記建物内又は間仕切り領域内にそれぞれ設置されるビーコン通信機又はビーコン発信機からの２つのビーコン信号を基に判定する機能を有しており、
当該電動遮蔽装置は、該移動端末から、外出時であるとして判定されることで当該電動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする、請求項２４又は２５に記載の遮蔽材状態検知システム。
【請求項３２】
当該電動遮蔽装置は、当該電動遮蔽装置を設置する建物又は間仕切り領域のＧＰＳ情報と、前記移動端末のＧＰＳ情報との差異で前記建物又は間仕切り領域からの外出時であるとして判定する前記移動端末から通知信号を受け付けて作動する前記ホームサーバーから、当該電動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする、請求項２４に記載の遮蔽材状態検知システム。
【請求項３３】
前記建物の玄関又は間仕切り領域の壁部にスマートスピーカが設けられており、
当該電動遮蔽装置は、前記ホームサーバーから前記遮蔽材の開閉状態を前記スマートスピーカに通知させるよう前記ホームサーバーに対し遮蔽材の開閉状態を通知することを特徴とする、請求項２４に記載の遮蔽材状態検知システム。
【請求項３４】
前記ホームサーバーは、設定された所定の通知条件を満たすときの移動端末に対する電動遮蔽装置における遮蔽材の開閉状態の通知後に、前記移動端末から、当該通知によって遮蔽材の開閉状態が示された電動遮蔽装置に対する操作コマンドを含む通知応答信号を受け付け、該電動遮蔽装置に対し該操作コマンドを含む操作信号を送信して開閉制御させる機能を有することを特徴とする、請求項２４から請求項３２のいずれか一項に記載の遮蔽材状態検知システム。
【請求項３５】
前記ホームサーバーは、設定された所定の通知条件を満たすときのスマートスピーカに対する電動遮蔽装置における遮蔽材の開閉状態の通知後に、前記スマートスピーカから、当該通知によって遮蔽材の開閉状態が示された電動遮蔽装置に対する操作コマンドを含む通知応答信号を受け付け、該電動遮蔽装置に対し該操作コマンドを含む操作信号を送信して開閉制御させる機能を有することを特徴とする、請求項３３に記載の遮蔽材状態検知システム。
【請求項３６】
前記ホームサーバーは、前記通知応答信号に基づく応答操作履歴を蓄積管理する機能を有することを特徴とする、請求項３４又は３５に記載の遮蔽材状態検知システム。
【請求項３７】
前記ホームサーバーは、前記応答操作履歴として、応答操作したユーザを識別する応答操作ユーザＩＤ、応答操作に係る遮蔽材の開閉制御に関する通知の応答操作内容、応答操作日時、及び応答操作時の気温又は天候のうち１以上を管理する機能を有することを特徴とする、請求項３６に記載の遮蔽材状態検知システム。
【請求項３８】
前記ホームサーバーは、前記応答操作履歴と記憶部にて記憶管理する当該電動遮蔽装置の遮蔽材の開閉状態を更新した最新の日時を示す開閉状態更新日時のいずれか一方又は双方を付帯情報として当該通知応答信号に含めるように制御する機能を有することを特徴とする、請求項３７に記載の遮蔽材状態検知システム。
【発明の詳細な説明】
【技術分野】
【０００１】
本発明は、操作コードを用いて遮蔽材を開閉させる手動遮蔽装置における遮蔽材の開閉状態を検知する開閉状態検知装置、当該開閉状態検知装置を備える手動遮蔽装置、及び遮蔽材状態検知システムに関する。
【背景技術】
【０００２】
従来から、例えば横型ブラインド、縦型ブラインド、ロールスクリーン、たくし上げカーテン、プリーツスクリーン、或いはカーテンレール等など、操作コードを用いて遮蔽材を開閉させる手動遮蔽装置が知られている。
【０００３】
これらの手動遮蔽装置は、操作者が操作コードを直接掴み、遮蔽材を上下方向に昇降させたり、左右方向に誘導させたりするなどして、遮蔽材を開閉させるものとなっている。
【０００４】
一方で、電動で遮蔽材の開閉を行う電動遮蔽装置では、操作スイッチやリモコンから操作するのが一般的であるが、移動端末（スマートフォンなど）や固定端末（汎用コンピュータなど）等の通信端末から操作できるものもある（例えば、特許文献１参照）。
【０００５】
従って、通信端末から操作できる電動遮蔽装置であれば、その通信端末により、屋外から当該電動遮蔽装置における遮蔽材の開閉を制御できるだけでなく、屋外から遮蔽材の開閉状態を確認することができる。
【０００６】
しかし、手動遮蔽装置については、屋外又は間仕切り領域外から屋内又は間仕切り領域内の遮蔽装置における遮蔽材の開閉状態を確認することができない。
【先行技術文献】
【特許文献】
【０００７】
【特許文献１】特開２０１７−３４４１９号公報
【発明の概要】
【発明が解決しようとする課題】
【０００８】
上述したように、通信端末から操作できる電動遮蔽装置であれば、その通信端末により、屋外から当該電動遮蔽装置における遮蔽材の開閉を制御できるだけでなく、屋外から遮蔽材の開閉状態を確認することができる。
【０００９】
しかし、手動遮蔽装置については、屋外又は間仕切り領域外から屋内又は間仕切り領域内の遮蔽装置における遮蔽材の開閉状態を確認することができないという問題がある。また、電動遮蔽装置についても、電動遮蔽装置が設置される屋内又は間仕切り領域内から外出するときも、自動的に遮蔽材の開閉状態を確認する仕組みが要望される。
【００１０】
本発明の目的は、上述の問題に鑑みて、操作コードを用いて遮蔽材を開閉させる手動遮蔽装置における遮蔽材の開閉状態を検知する開閉状態検知装置、当該開閉状態検知装置を備える手動遮蔽装置、及び遮蔽材状態検知システムを提供することにある。
【課題を解決するための手段】
【００１１】
本発明の開閉状態検知装置は、手動遮蔽装置における遮蔽材の開閉状態を検知して予め登録された通信端末に通知するための開閉状態検知装置であって、前記遮蔽材の開閉を検知するためのセンサーと、前記センサーの出力値を基に前記遮蔽材の開閉状態を演算して記憶部に記憶保持し監視するよう制御する制御部と、前記遮蔽材の開閉状態を当該通信端末に直接又は間接的に通知するよう作動する通信部と、を備えることを特徴とする。
【００１２】
また、本発明の開閉状態検知装置において、前記センサーの出力値を基に前記遮蔽材の開閉位置に係る上限及び下限を設定し前記記憶部に記憶保持させる設定部を更に備え、前記制御部は、前記センサーの出力値を基に前記遮蔽材の開閉位置に係る上限及び下限に対する相対値から前記遮蔽材の開閉状態を演算することを特徴とする。
【００１３】
また、本発明の開閉状態検知装置において、前記設定部に対し前記遮蔽材の開閉位置に係る上限及び下限を設定するためのユーザインタフェースとしての設定操作部を更に備えることを特徴とする。
【００１４】
また、本発明の開閉状態検知装置において、前記設定部は、当該開閉状態検知装置を識別するデバイスＩＤを設定し前記記憶部に記憶保持させる機能を有し、前記通信部は、前記デバイスＩＤと共に前記遮蔽材の開閉状態を当該通信端末に通知することを特徴とする。
【００１５】
また、本発明の開閉状態検知装置において、当該開閉状態検知装置に電源供給するバッテリーを更に備え、前記バッテリーは、外部電源との接続で充電可能とする充電端子を有することを特徴とする。
【００１６】
また、本発明の開閉状態検知装置において、前記プーリーの回転軸に前記バッテリーを充電するためのオルタネーターが設けられていることを特徴とする。
【００１７】
また、本発明の開閉状態検知装置において、当該手動遮蔽装置における遮蔽材の開閉を操作するための操作コードに取り付けられるプーリーを更に備え、前記センサーは、該プーリーの回転量を前記センサーの出力値として検知するエンコーダーからなることを特徴とする。
【００１８】
また、本発明の開閉状態検知装置において、前記操作コードが当該手動遮蔽装置のヘッドボックスから２本垂下する無端状の操作コードからなり、前記プーリーは、２本垂下する操作コード間に着脱可能に取り付けられ、該２本の操作コードの相対移動で該プーリーが回転し該プーリーを回転可能に軸支する当該開閉状態検知装置の位置が不変に支持されるように構成されていることを特徴とする。
【００１９】
また、本発明の開閉状態検知装置において、当該開閉状態検知装置の本体が、チルト制御棒により角度調節可能な遮蔽材を有する手動遮蔽装置における該チルト制御棒に対して、又は、手動遮蔽装置が設置される壁枠に対して、或いは、当該遮蔽材を吊下支持するためのヘッドボックスに前記操作コードを導出するためのコード導出口が設けられた手動遮蔽装置における該コード導出口に対して固定され、前記プーリーは、無端状又は非無端状の操作コードに着脱可能に取り付けられて該操作コードの相対移動で回転するように構成されていることを特徴とする。
【００２０】
また、本発明の開閉状態検知装置において、前記センサーは、当該手動遮蔽装置における畳み込み可能な遮蔽材の所定段おきに固着されるマイクロセンサーからなることを特徴とする。
【００２１】
また、本発明の開閉状態検知装置において、前記通信部は、当該通信端末として構成される移動端末と近距離無線通信経由又は通信網経由で通信接続するホームサーバーに対し、近距離無線通信による通信接続を行う機能を有し、前記ホームサーバーから前記遮蔽材の開閉状態を前記移動端末に通知させるよう前記ホームサーバーに対し遮蔽材の開閉状態を通知することを特徴とする。
【００２２】
また、本発明の開閉状態検知装置において、前記通信部は、当該手動遮蔽装置を設置する建物又は間仕切り領域からの前記移動端末を持つユーザの外出又は入出を少なくとも前記建物の玄関又は間仕切り領域の壁部に設置されるビーコン通信機又はビーコン発信機からのビーコン信号を基に判定する外出判定機から、外出又は入出時であるとして判定されることで当該手動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする。
【００２３】
また、本発明の開閉状態検知装置において、前記通信部は、当該手動遮蔽装置を設置する建物又は間仕切り領域からの前記移動端末を持つユーザの外出を前記建物の玄関又は間仕切り領域の壁部及び前記建物内又は間仕切り領域内にそれぞれ設置されるビーコン通信機又はビーコン発信機からの２つのビーコン信号を基に判定する外出判定機から、外出時であるとして判定されることで当該手動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする。
【００２４】
また、本発明の開閉状態検知装置において、前記外出判定機が前記ホームサーバーに組み込まれており、前記通信部は、該外出判定機が組み込まれた当該ホームサーバーから、外出又は入出時であるとして判定されることで当該手動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする。
【００２５】
また、本発明の開閉状態検知装置において、前記移動端末が当該手動遮蔽装置を設置する建物又は間仕切り領域からの前記移動端末を持つユーザの外出又は入出を前記ホームサーバーに判定させるべく少なくとも前記建物の玄関又は間仕切り領域の壁部に設置されるビーコン通信機又はビーコン発信機からのビーコン信号の受信を前記ホームサーバーに通知する機能を有しており、前記通信部は、前記ホームサーバーから、外出又は入出時であるとして判定されることで当該手動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする。
【００２６】
また、本発明の開閉状態検知装置において、前記移動端末が当該手動遮蔽装置を設置する建物又は間仕切り領域からの前記移動端末を持つユーザの外出を前記ホームサーバーに判定させるべく前記建物の玄関又は間仕切り領域の壁部及び前記建物内又は間仕切り領域内にそれぞれ設置されるビーコン通信機又はビーコン発信機からの２つのビーコン信号の受信を前記ホームサーバーに通知する機能を有しており、前記通信部は、前記ホームサーバーから、外出時であるとして判定されることで当該手動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする。
【００２７】
また、本発明の開閉状態検知装置において、前記移動端末が当該手動遮蔽装置を設置する建物又は間仕切り領域からの前記移動端末を持つユーザの外出又は入出を少なくとも前記建物の玄関又は間仕切り領域の壁部に設置されるビーコン通信機又はビーコン発信機からのビーコン信号を基に判定する機能を有しており、前記通信部は、該移動端末から、外出又は入出時であるとして判定されることで当該手動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする。
【００２８】
また、本発明の開閉状態検知装置において、前記移動端末が当該手動遮蔽装置を設置する建物又は間仕切り領域からの前記移動端末を持つユーザの外出を前記建物の玄関又は間仕切り領域の壁及び前記建物内又は間仕切り領域内にそれぞれ設置されるビーコン通信機又はビーコン発信機からの２つのビーコン信号を基に判定する機能を有しており、前記通信部は、該移動端末から、外出時であるとして判定されることで当該手動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする。
【００２９】
また、本発明の開閉状態検知装置において、前記通信部は、当該手動遮蔽装置を設置する建物又は間仕切り領域のＧＰＳ情報と、前記移動端末のＧＰＳ情報との差異で前記建物又は間仕切り領域からの外出時であるとして判定する前記移動端末から通知信号を受け付けて作動する前記ホームサーバーから、当該手動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする。
【００３０】
また、本発明の開閉状態検知装置において、前記建物の玄関又は間仕切り領域の壁部にスマートスピーカが設けられており、前記通信部は、前記ホームサーバーから前記遮蔽材の開閉状態を前記スマートスピーカに通知させるよう前記ホームサーバーに対し遮蔽材の開閉状態を通知することを特徴とする。
【００３１】
更に、本発明の手動遮蔽装置は、本発明の開閉状態検知装置が設置されていることを特徴とする。
【００３２】
更に、本発明の遮蔽材状態検知システムは、各々が連係動作するようユーザ登録された、請求項１１から２０のいずれか一項に記載の開閉状態検知装置を備える手動遮蔽装置と、前記ホームサーバーと、前記移動端末と、を備え、前記ホームサーバーは、前記手動遮蔽装置の前記開閉状態検知装置から当該手動遮蔽装置における遮蔽材の開閉状態の通知を受信して記憶保持し、且つ該遮蔽材の開閉状態が設定された所定の通知条件を満たすときに該遮蔽材の開閉状態を前記移動端末に通知する機能を有することを特徴とする。
【００３３】
また、本発明の遮蔽材状態検知システムにおいて、ユーザ登録された電動遮蔽装置を更に備え、前記ホームサーバーは、前記ユーザ登録された電動遮蔽装置を更に管理し、前記手動遮蔽装置及び前記電動遮蔽装置からそれぞれの遮蔽材の開閉状態の通知を受信して記憶保持し、且つ該遮蔽材の開閉状態が設定された所定の通知条件を満たすときに該遮蔽材の開閉状態を前記移動端末に通知する機能を有することを特徴とする。
【００３４】
更に、本発明の遮蔽材状態検知システムは、ユーザ登録された電動遮蔽装置と、当該電動遮蔽装置における遮蔽材の開閉状態の通知を受信して記憶部に記憶保持し、且つ該遮蔽材の開閉状態が設定された所定の通知条件を満たすときに該遮蔽材の開閉状態を予め登録した移動端末に通知する機能を有するホームサーバーと、を備えることを特徴とする。
【００３５】
また、本発明の遮蔽材状態検知システムにおいて、当該電動遮蔽装置を設置する建物又は間仕切り領域からの前記移動端末を持つユーザの外出又は入出を少なくとも前記建物の玄関又は間仕切り領域の壁部に設置されるビーコン通信機又はビーコン発信機からのビーコン信号を基に判定する外出判定機を更に備え、該ビーコン通信機又は該外出判定機から、外出又は入出時であるとして判定されることで当該電動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする。
【００３６】
また、本発明の遮蔽材状態検知システムにおいて、当該電動遮蔽装置を設置する建物又は間仕切り領域からの前記移動端末を持つユーザの外出を前記建物の玄関又は間仕切り領域の壁部及び前記建物内又は間仕切り領域内にそれぞれ設置されるビーコン通信機又はビーコン発信機からの２つのビーコン信号を基に判定する外出判定機を更に備え、該ビーコン通信機又は該外出判定機から、外出時であるとして判定されることで当該電動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする。
【００３７】
また、本発明の遮蔽材状態検知システムにおいて、前記外出判定機が前記ホームサーバーに組み込まれており、該外出判定機が組み込まれた当該ホームサーバーから、外出又は入出時であるとして判定されることで当該電動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする。
【００３８】
また、本発明の遮蔽材状態検知システムにおいて、前記移動端末が当該電動遮蔽装置を設置する建物又は間仕切り領域からの前記移動端末を持つユーザの外出又は入出を前記ホームサーバーに判定させるべく少なくとも前記建物の玄関又は間仕切り領域の壁部に設置されるビーコン通信機又はビーコン発信機からのビーコン信号の受信を前記ホームサーバーに通知する機能を有しており、当該電動遮蔽装置は、前記ホームサーバーから、外出又は入出時であるとして判定されることで当該電動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする。
【００３９】
また、本発明の遮蔽材状態検知システムにおいて、前記移動端末が当該電動遮蔽装置を設置する建物又は間仕切り領域からの前記移動端末を持つユーザの外出を前記ホームサーバーに判定させるべく前記建物の玄関又は間仕切り領域の壁部及び前記建物内又は間仕切り領域内にそれぞれ設置されるビーコン通信機又はビーコン発信機からの２つのビーコン信号の受信を前記ホームサーバーに通知する機能を有しており、当該電動遮蔽装置は、前記ホームサーバーから、外出時であるとして判定されることで当該電動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする。
【００４０】
また、本発明の遮蔽材状態検知システムにおいて、前記移動端末が当該電動遮蔽装置を設置する建物又は間仕切り領域からの前記移動端末を持つユーザの外出又は入出を少なくとも前記建物の玄関又は間仕切り領域の壁部に設置されるビーコン通信機又はビーコン発信機からのビーコン信号を基に判定する機能を有しており、当該電動遮蔽装置は、該移動端末から、外出又は入出時であるとして判定されることで当該電動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする。
【００４１】
また、本発明の遮蔽材状態検知システムにおいて、前記移動端末が当該電動遮蔽装置を設置する建物又は間仕切り領域からの前記移動端末を持つユーザの外出を前記建物の玄関又は間仕切り領域の壁部及び前記建物内又は間仕切り領域内にそれぞれ設置されるビーコン通信機又はビーコン発信機からの２つのビーコン信号を基に判定する機能を有しており、当該電動遮蔽装置は、該移動端末から、外出時であるとして判定されることで当該電動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする。
【００４２】
また、本発明の遮蔽材状態検知システムにおいて、当該電動遮蔽装置は、当該電動遮蔽装置を設置する建物又は間仕切り領域のＧＰＳ情報と、前記移動端末のＧＰＳ情報との差異で前記建物又は間仕切り領域からの外出時であるとして判定する前記移動端末から通知信号を受け付けて作動する前記ホームサーバーから、当該電動遮蔽装置における遮蔽材の開閉状態要求があったときに、前記ホームサーバーから前記遮蔽材の開閉状態を前記移動端末に通知させるよう前記ホームサーバーに対し遮蔽材の開閉状態を通知することを特徴とする。
【００４３】
また、本発明の遮蔽材状態検知システムにおいて、前記建物の玄関又は間仕切り領域の壁部にスマートスピーカが設けられており、当該電動遮蔽装置は、前記ホームサーバーから前記遮蔽材の開閉状態を前記スマートスピーカに通知させるよう前記ホームサーバーに対し遮蔽材の開閉状態を通知することを特徴とする。
【００４４】
また、本発明の遮蔽材状態検知システムにおいて、前記ホームサーバーは、設定された所定の通知条件を満たすときの移動端末に対する電動遮蔽装置における遮蔽材の開閉状態の通知後に、前記移動端末から、当該通知によって遮蔽材の開閉状態が示された電動遮蔽装置に対する操作コマンドを含む通知応答信号を受け付け、該電動遮蔽装置に対し該操作コマンドを含む操作信号を送信して開閉制御させる機能を有することを特徴とする。
【００４５】
また、本発明の遮蔽材状態検知システムにおいて、前記ホームサーバーは、設定された所定の通知条件を満たすときのスマートスピーカに対する電動遮蔽装置における遮蔽材の開閉状態の通知後に、前記スマートスピーカから、当該通知によって遮蔽材の開閉状態が示された電動遮蔽装置に対する操作コマンドを含む通知応答信号を受け付け、該電動遮蔽装置に対し該操作コマンドを含む操作信号を送信して開閉制御させる機能を有することを特徴とする。
【００４６】
また、本発明の遮蔽材状態検知システムにおいて、前記ホームサーバーは、前記通知応答信号に基づく応答操作履歴を蓄積管理する機能を有することを特徴とする。
【００４７】
また、本発明の遮蔽材状態検知システムにおいて、前記ホームサーバーは、前記応答操作履歴として、応答操作したユーザを識別する応答操作ユーザＩＤ、応答操作に係る遮蔽材の開閉制御に関する通知の応答操作内容、応答操作日時、及び応答操作時の気温又は天候のうち１以上を管理する機能を有することを特徴とする。
【００４８】
また、本発明の遮蔽材状態検知システムにおいて、前記ホームサーバーは、前記応答操作履歴と記憶部にて記憶管理する当該電動遮蔽装置の遮蔽材の開閉状態を更新した最新の日時を示す開閉状態更新日時のいずれか一方又は双方を付帯情報として当該通知応答信号に含めるように制御する機能を有することを特徴とする。
【発明の効果】
【００４９】
本発明によれば、手動遮蔽装置に対しても、通信端末を用いて、ユーザの外出時等を含み、屋外又は間仕切り領域外から屋内又は間仕切り領域内の当該手動遮蔽装置における遮蔽材の開閉状態を確認することができるようになる。
【００５０】
更に、本発明によれば、電動遮蔽装置に対しても、通信端末を用いて、ユーザの外出時等を含み、屋外又は間仕切り領域外から屋内又は間仕切り領域内の当該電動遮蔽装置における遮蔽材の開閉状態を確認することができるようになる。
【図面の簡単な説明】
【００５１】
【図１】本発明による第１実施形態の開閉状態検知装置を設置した手動遮蔽装置における遮蔽材の開閉状態を、通信端末を用いて確認可能とする遮蔽材状態検知システムの概略構成を例示する図である。
【図２】本発明による第１実施形態の遮蔽材状態検知システムの全体動作を例示するフローチャートである。
【図３】本発明による第１実施形態の開閉状態検知装置の概略構成を示す斜視図である。
【図４】本発明による第１実施形態の開閉状態検知装置の概略構成を示すブロック図である。
【図５】（ａ）は本発明による第１実施形態の開閉状態検知装置の設定操作部を概略的に示す図であり、（ｂ），（ｃ）は当該開閉状態検知装置を設置する手動遮蔽装置における遮蔽材の開閉の上限及び下限を、設定操作部を経て当該開閉状態検知装置に設定する様子を示す説明図である。
【図６】本発明による第１実施形態の開閉状態検知装置の制御動作を示すフローチャートである。
【図７】（ａ）は操作コードが無端状のボールチェーンで構成されるときの本発明による第１実施形態の開閉状態検知装置におけるプーリーに係る構成とその動作を説明するための断面図であり、（ｂ）は操作コードが無端状の操作紐で構成されるときの本発明による第１実施形態の開閉状態検知装置におけるプーリーに係る構成とその動作を説明するための断面図である。
【図８】（ａ）は壁枠内に設置される一例の手動遮蔽装置に対し、本発明による第１実施形態の開閉状態検知装置を取り付けた一例を示す図であり、（ｂ）は当該開閉状態検知装置の本体ケースを壁掛けで固定する例を示し、（ｃ）は当該開閉状態検知装置の本体ケースをビス打ちで固定する例を示す図である。
【図９】（ａ），（ｂ）は、それぞれ本発明による第１実施形態の開閉状態検知装置の本体ケースが物理的に壁等に固定される際の当該開閉状態検知装置の適用例を示す断面図である。
【図１０】（ａ），（ｂ）は、それぞれ直引き操作紐で構成される操作コードを有する手動遮蔽装置を例示する図である。
【図１１】本発明による第１実施形態の遮蔽材状態検知システムに係る外出判定機の概略構成を示すブロック図である。
【図１２】本発明による第１実施形態の遮蔽材状態検知システムに係る移動端末の概略構成を示すブロック図である。
【図１３】本発明による第１実施形態の遮蔽材状態検知システムに係るホームサーバーの概略構成を示すブロック図である。
【図１４】（ａ）は本発明による第１実施形態の遮蔽材状態検知システムに係るホームサーバーにおける管理情報を例示する図であり、（ｂ）は通知対象となる手動遮蔽装置における遮蔽材の開閉状態が移動端末にプッシュ通知されるときの内容を例示する図である。
【図１５】本発明による第１実施形態の開閉状態検知装置を設置した手動遮蔽装置における遮蔽材の開閉状態を、通信端末を用いて確認可能とする第１変形例の遮蔽材状態検知システムの概略構成を例示する図である。
【図１６】本発明による第１変形例の遮蔽材状態検知システムの全体動作を例示するフローチャートである。
【図１７】本発明による第１実施形態の開閉状態検知装置を設置した手動遮蔽装置における遮蔽材の開閉状態を、通信端末を用いて確認可能とする第２変形例の遮蔽材状態検知システムの概略構成を例示する図である。
【図１８】本発明による第２変形例の遮蔽材状態検知システムの全体動作を例示するフローチャートである。
【図１９】本発明による第１実施形態の開閉状態検知装置を設置した手動遮蔽装置における遮蔽材の開閉状態を、通信端末を用いて確認可能とする第３変形例の遮蔽材状態検知システムの概略構成を例示する図である。
【図２０】本発明による第３変形例の遮蔽材状態検知システムの全体動作を例示するフローチャートである。
【図２１】（ａ）は本発明による第２実施形態の開閉状態検知装置の概略構成を示す斜視図であり、（ｂ），（ｃ）は本発明による第２実施形態の開閉状態検知装置におけるセンサーの動作を説明図る図である。
【図２２】本発明による第１及び第２実施形態に対する更なる変形例の遮蔽材状態検知システムの概略構成を示す平面図である。
【図２３】本発明による第３実施形態の遮蔽材状態検知システムの概略構成を例示する図である。
【図２４】本発明による第３実施形態の遮蔽材状態検知システムに係る電動遮蔽装置が備える制御装置の概略構成を示すブロック図である。
【図２５】本発明による第３実施形態の遮蔽材状態検知システムに係るホームサーバーの概略構成を示すブロック図である。
【図２６】（ａ）は本発明による第３実施形態の遮蔽材状態検知システムに係るホームサーバーにおける電動遮蔽装置に関する管理情報を例示する図であり、（ｂ）は通知対象となる電動遮蔽装置における遮蔽材の開閉状態が移動端末にプッシュ通知されるときの内容を例示する図である。
【図２７】本発明による第３実施形態の遮蔽材状態検知システムに係る応用例を示すブロック図である。
【図２８】本発明による第３実施形態の遮蔽材状態検知システムに係る応用例の全体動作を例示するフローチャートである。
【発明を実施するための形態】
【００５２】
以下、図面を参照して、本発明による各実施形態の開閉状態検知装置７、該開閉状態検知装置７を設置する手動遮蔽装置６、及び、該手動遮蔽装置６における遮蔽材の開閉状態を、通信端末（固定端末１２及び移動端末５）を用いて確認可能とする遮蔽材状態検知システム１について説明する。尚、各実施形態において、手動遮蔽装置６として典型的なものを例に説明するが、操作者が操作コードを直接掴み、遮蔽材を上下方向に昇降させたり、左右方向に誘導させたりするなどして、遮蔽材を開閉させるものであれば任意であり、例えば横型ブラインド、縦型ブラインド、ロールスクリーン、たくし上げカーテン、プリーツスクリーン、或いはカーテンレール等などとすることができる。以下、本願明細書中、同様な構成要素には同一の参照番号を付して説明する。
【００５３】
〔第１実施形態〕
（システム構成）
図１は、本発明による第１実施形態の開閉状態検知装置７を設置した手動遮蔽装置６における遮蔽材の開閉状態を、移動端末５（スマートフォンなど）や固定端末１２（汎用コンピュータなど）等の通信端末を用いて確認可能とする遮蔽材状態検知システム１の概略構成を例示する図である。また、図２は、本発明による第１実施形態の遮蔽材状態検知システム１の全体動作を例示するフローチャートである。
【００５４】
本実施形態の遮蔽材状態検知システム１は、外出判定機２と、第１双方向ビーコン通信機３と、第２双方向ビーコン通信機４と、利用登録された移動端末５と、遮蔽材状態の検知対象とする手動遮蔽装置６に設置される開閉状態検知装置７と、ホームサーバー８と、無線ルーター９と、スマートスピーカ１１と、を備える。
【００５５】
ここで、外出判定機２、第１双方向ビーコン通信機３、手動遮蔽装置６に設置される開閉状態検知装置７、ホームサーバー８、及び無線ルーター９は、移動端末５のユーザが利用する建物（家屋等）Ｈの屋内Ｈ１に設置されるが、第２双方向ビーコン通信機４及びスマートスピーカ１１は、建物Ｈの玄関Ｈ２近傍に設置される。
【００５６】
まず、本実施形態の遮蔽材状態検知システム１に利用登録された移動端末５は、第１双方向ビーコン通信機３及び第２双方向ビーコン通信機４に対しビーコン信号（Ｂｌｕｅｔｏｏｔｈ（登録商標）信号）で双方向通信できるように設定され、尚且つ、インターネット等の通信網１０に通信接続されるホームサーバー８に対して、無線ルーター９を介して近距離無線通信（ＷｉＦｉ等）で双方向通信できるように設定されている。尚、無線ルーター９は、ホームサーバー８に内蔵されていてもよい。そして、ホームサーバー８は、通信網１０を経由して屋外（ユーザの外出先等）の固定端末１２と通信接続されている。また、移動端末５は、無線基地局１０ａ経由で通信網１０に通信接続可能であり、このため通信網１０経由でホームサーバー８に対して双方向通信することができる。
【００５７】
また、スマートスピーカ１１は、必ずしも設けていなくともよいが、本実施形態では好適例としてホームサーバー８に対して、無線ルーター９を介して近距離無線通信（ＷｉＦｉ等）で双方向通信できるように設定されている。尚、スマートスピーカ１１は本発明とは直接関係しない動作目的（例えば、玄関Ｈ２の扉の電子ロック解除等）で移動端末５と連動して動作するよう設定したものとしてもよい。
【００５８】
第１双方向ビーコン通信機３は、固有のビーコンＩＤを有し屋内Ｈ１に設置され、常時、ビーコン信号を発信しており（図２：Ｓ１１）、利用登録されユーザＩＤが設定された移動端末５から該ビーコン信号を受信した旨を示す応答信号（第１ユーザＩＤ応答信号）を受け付け（図２：Ｓ１２）、その受け付けた旨を該ビーコンＩＤ及びユーザＩＤと共に第１応答通知信号（図２：Ｓ１３）として外出判定機２に通知する機能を有する。
【００５９】
第２双方向ビーコン通信機４は、固有のビーコンＩＤを有し玄関Ｈ２近傍に設置され、常時、ビーコン信号を発信しており（図２：Ｓ１１）、利用登録された移動端末５から該ビーコン信号を受信した旨を示す応答信号（第２ユーザＩＤ応答信号）を受け付け（図２：Ｓ１４）、その受け付けた旨を該ビーコンＩＤ及びユーザＩＤと共に第２応答通知信号（図２：Ｓ１５）として外出判定機２に通知する機能を有する。
【００６０】
外出判定機２は、第１双方向ビーコン通信機３及び第２双方向ビーコン通信機４の各々と有線通信で、或いは近距離無線通信で接続され、第１双方向ビーコン通信機３からの第１ユーザＩＤ応答信号（ビーコンＩＤ，ユーザＩＤ付き）の受信時刻と、第２双方向ビーコン通信機４からの第２ユーザＩＤ応答信号（ビーコンＩＤ，ユーザＩＤ付き）の受信時刻との相対時刻を監視することにより、移動端末５を持つユーザが玄関Ｈ２から外出したか否かの外出判定を行う（図２：Ｓ１６）。移動端末５を持つユーザが外出したと判定した場合、外出判定機２は、全ての開閉状態検知装置７に対し、それぞれ対応する遮蔽材の開閉状態の情報をホームサーバー８に通知するよう要求する開閉状態要求信号（ユーザＩＤ付き）を近距離無線通信で発信する（図２：Ｓ１７）。
【００６１】
各手動遮蔽装置６に設置されるそれぞれの開閉状態検知装置７は、それぞれ固有のデバイスＩＤを有し、その詳細構成は後述するが、それぞれ設置対象の手動遮蔽装置６における遮蔽材の開閉状態を示す情報を常時監視して記憶保持しており、外出判定機２からの開閉状態要求信号（ユーザＩＤ付き）の受信に応じて、その受信時点の当該遮蔽材の開閉状態の情報を開閉状態通知信号（ユーザＩＤ，デバイスＩＤ付き）としてホームサーバー８に近距離無線通信で通知する（図２：Ｓ１８）。尚、各開閉状態検知装置７は、ホームサーバー８から受信確認応答が得られるまで当該開閉状態通知信号（ユーザＩＤ，デバイスＩＤ付き）をホームサーバー８に通知する。
【００６２】
ホームサーバー８は、デバイスＩＤに基づいて各手動遮蔽装置６の遮蔽材の開閉状態を集約して記憶保持しており、各デバイスＩＤに係る開閉状態通知信号（ユーザＩＤ，デバイスＩＤ付き）を受信する度に、対応する手動遮蔽装置６の遮蔽材の開閉状態を更新して記憶保持すると共に、その更新される開閉状態について所定の通知条件に基づきユーザに通知すべきか否かを判定した上で、無線ルーター９経由の近距離無線通信で、又は無線基地局１０ａを経た無線通信経由で移動端末５にユーザＩＤ別開閉状態通知信号として通知（プッシュ通知、音声通知又はメール通知）するか、或いは近距離無線通信でスマートスピーカ１１にて音声発信で通知する（図２：Ｓ１９）。
【００６３】
より具体的には、ホームサーバー８は、全てのデバイスＩＤに関する開閉状態通知信号（ユーザＩＤ，デバイスＩＤ付き）の受信完了時に、デバイスＩＤ毎に遮蔽材の開閉状態が所定の通知条件（本例では、開度６０％以上のとき通知するという条件をデフォルトとするが、ユーザが個別設定可能）を満たすか否かの判定を行い、当該所定の通知条件を満たすデバイスＩＤに係る手動遮蔽装置６がユーザに理解される態様で（ユーザによりデバイスＩＤ毎に手動遮蔽装置６の設置位置の送付メッセージ登録済み）、移動端末５にプッシュ通知、音声通知又はメール通知するか、或いはスマートスピーカ１１にて音声発信するよう通知する。
【００６４】
従って、図１において、典型的な動作として、移動端末５を持つユーザが玄関Ｈ２から外出しようとすると、移動端末５から第２ユーザＩＤ応答信号が第２双方向ビーコン通信機４に送信され（図示Ａ１）、これに応じて、外出判定機２は、全ての開閉状態検知装置７に対し開閉状態要求信号（ユーザＩＤ付き）を発信する（図示Ａ２，Ａ２’）。そして、全ての開閉状態検知装置７は、外出判定機２からの開閉状態要求信号（ユーザＩＤ付き）の受信に応じて、その受信時点の当該遮蔽材の開閉状態の情報を示す開閉状態通知信号（ユーザＩＤ，デバイスＩＤ付き）をホームサーバー８に通知する（図示Ａ３，Ａ３’）。最終的に、ホームサーバー８は、全てのデバイスＩＤに関する開閉状態通知信号（ユーザＩＤ，デバイスＩＤ付き）の受信完了時に、所定の通知条件を満たすデバイスＩＤに係る手動遮蔽装置６がユーザに理解される態様で、移動端末５にプッシュ通知、音声通知又はメール通知するか（図示Ａ４）、或いはスマートスピーカ１１にて音声発信するよう通知する（図示Ａ５）。
【００６５】
これにより、移動端末５を持つユーザの外出時に、手動遮蔽装置６であっても、その開閉状態を直ちに知らせることができ、いずれかの手動遮蔽装置６の閉じ忘れを防止するのに寄与するようになる。ただし、本例では主として、外出判定機２が、第１双方向ビーコン通信機３及び第２双方向ビーコン通信機４の各々を利用することで「移動端末５を持つユーザの外出判定」を行うものとしているが、外出判定機２が、第２双方向ビーコン通信機４のみを利用することで「移動端末５を持つユーザの外出／入出判定」を行うように構成して、移動端末５を持つユーザの入出時においても、遮蔽材の開閉状態を通知することで留守中に異常な状態になっていないか等の保安性に有利な動作形態とすることも可能である。
【００６６】
また、各手動遮蔽装置６の遮蔽材の開閉状態は、ホームサーバー８に集約されて保持されているため、固定端末１２及び移動端末５から常時、確認可能となる。
【００６７】
以下、より具体的に、本実施形態に係る開閉状態検知装置７の構成例と動作、並びに、外出判定機２、移動端末５、及びホームサーバー８の構成例と動作について順に説明する。
【００６８】
（開閉状態検知装置）
図３は、本発明による第１実施形態の開閉状態検知装置７の概略構成を示す斜視図である。また、図４は、本発明による第１実施形態の開閉状態検知装置７の概略構成を示すブロック図である。
【００６９】
まず、操作者が操作コードを直接掴み遮蔽材を開閉させる手動遮蔽装置６には種々の形態のものがあるが、図３では、典型的な手動遮蔽装置６の例として、プリーツスクリーンを示している。図３に示すプリーツスクリーンは、操作者が操作コード６８を直接掴み、ヘッドボックス６１から上下方向にジグザグ状に折り曲げ可能とした遮蔽材（スクリーン６２）を昇降させるように吊下支持され、そのスクリーン６２の下端にボトムレール６３が取着されている。ヘッドボックス６１から本例では２本の昇降コード６４がスクリーン６２を貫通して垂下され、各昇降コード６４の下端はボトムレール６３に取着されている。また、各昇降コード６４の上端は、それぞれヘッドボックス６１内に設置される巻取軸６５により巻き取り、或いは巻き戻し可能に構成される。各巻取軸６５には駆動軸６６が相対回転不能に貫通され、駆動軸６６が回転すると同方向に各巻取軸６５が回転する。尚、駆動軸６６にはスクリーン６２の自重降下を防止するブレーキユニット６９が設けられている。
【００７０】
ヘッドボックス６１の一端側には操作部６７が配置され、操作部６７内では操作プーリー（図示略）が回転可能に支持され、当該操作プーリーの回転軸に駆動軸６６の一端が相対回転不能に連結される。また、操作部６７内の当該操作プーリーには、無端状の操作コード６８（本例ではボールチェーン）が掛装され、この操作コード６８は操作者が操作可能に垂下されている。従って、操作者が操作コード６８を操作することにより、駆動軸６６を回転させることで、ボトムレール６３と共にスクリーン６２を昇降させることができ、操作者が操作コード６８を手放せば、ブレーキユニット６９の作動によりボトムレール６３の自重降下が防止される。
【００７１】
そこで、図３に示すように、本実施形態の開閉状態検知装置７は、手動遮蔽装置６における操作コード６８に対して着脱可能に取り付けできるようになっている。
【００７２】
より具体的に、開閉状態検知装置７は、無端状の操作コード６８として構成されるボールチェーンのボール部６８ａ（後述する図７参照）に対し噛合して回転するプーリー７１と、プーリー７１を挟み込みプーリー７１の側面中心から一方に突出する回転軸７１ａを回転可能に支持する一対の支持部材７２と、その一対の支持部材７２にそれぞれ嵌着され、当該一対の支持部材７２によりそれぞれ所定の部材を支持させた上で収容するように覆う各本体ケース７３，７４と、を備えている。
【００７３】
プーリー７１は、無端状の操作コード６８として２本垂下されているボールチェーン間に配置することができ、その２本のボールチェーンの各々のボール部６８ａと噛合させることができるようになっている。
【００７４】
一対の支持部材７２は、図示するように、それぞれボールチェーンの移動を妨げず、且つ当該噛合が保持される間隔でプーリー７１を両面から挟み込む円板面を有している。また、一対の支持部材７２のうち一方はプーリー７１の回転軸７１ａを貫通して軸支する固定軸７２ａが伸びており、一対の支持部材７２のうち他方はそのプーリー７１の回転軸７１ａと当該固定軸７２ａを貫通する貫通孔（図示せず）が設けられている。
【００７５】
そして、一対の支持部材７２には、図示するように、それぞれ板状の一対のコードガイド７２１がプーリー７１の周縁側で平行に設けられている。一対の支持部材７２は、互いに一方の支持部材７２における一対のコードガイド７２１が他方の支持部材７２における一対のコードガイド７２１と対向配置される状態で、プーリー７１の回転軸７１ａを軸支した上で固定部７２２により固定される。
【００７６】
一対の支持部材７２にて互いに対向配置されるコードガイド７２１間には、ボールチェーンのボール部６８ａは通さないが、ボールチェーンの紐部６８ｂ（後述する図７参照）は通す隙間が図３に図示するように形成され、これにより開閉状態検知装置７の本体を２本のボールチェーン間に外部から装着可能としている。また、一対の支持部材７２にて互いに対向配置されるコードガイド７２１により、２本のボールチェーン間に一旦、開閉状態検知装置７の本体が装着されると、意図的に取り外さない限り、ボールチェーンの操作程度では容易には外れないようになっており、このコードガイド７２１によってもボールチェーンの移動を妨げず、且つプーリー７１に対する当該噛合が安定するように保持される。
【００７７】
本体ケース７４側には、プーリー７１の回転量を検出するセンサーとしてエンコーダー７５が配置される。エンコーダー７５は、図３では簡略図示しているが、所謂、光学式又は磁気式のものを利用できる。例えばエンコーダー７５は、プーリー７１の回転軸７１ａと一体となって回転する円板と、その円板上に設けられる透光スリット又は磁気マークを利用して回転検知する回転検知センサーを設け、この回転検知センサーにより、回転する当該円板に対し光学的又は磁気的に透光スリット又は磁気マークをカウントすることで、プーリー７１の回転量を検出する。即ち、エンコーダー７５は、操作者によるボールチェーンの操作に伴って回転するプーリー７１の回転量から、当該手動遮蔽装置６における遮蔽材の開閉を検知するセンサーとして機能する。
【００７８】
また、本実施形態の例では、本体ケース７４側には、プーリー７１の回転により発電するオルタネーター７６が配置される。
【００７９】
一方、本体ケース７３側には、制御ユニット７７、充電端子７８ａ付きバッテリー７８、及び設定操作部７９が配置される。
【００８０】
制御ユニット７７は、図４に示すように、当該手動遮蔽装置６における遮蔽材の開閉を検知するためのセンサーとして機能するエンコーダー７５の出力値を基に当該遮蔽材の開閉位置に係る上限及び下限に対する相対値から当該遮蔽材の開閉状態を演算して記憶部７７２に記憶保持し監視するよう制御する制御部７７１と、当該開閉状態検知装置７の各種の設定情報（デバイスＩＤ、上限及び下限設定等）及び当該遮蔽材の開閉状態を記憶する記憶部７７２と、制御部７７１の制御により、外出判定機２やホームサーバー８と近距離無線通信（ＷｉＦｉ等）を行う近距離無線通信部７７３と、を備える。
【００８１】
より具体的に、制御部７７１は、マイクロプロセッサにより構成することができ、設定部７７７１、開閉状態演算部７７７２、開閉状態監視部７７７３、開閉状態通知部７７７４を備える。
【００８２】
設定部７７７１は、ユーザインタフェースとして機能する設定操作部７９からの操作で、外出判定機２との近距離無線通信を行うための設定（ビーコンＩＤ設定を含む。）と、ホームサーバー８との近距離無線通信を行うための設定（自装置のデバイスＩＤ設定を含む。）と、当該遮蔽材の上限設置、及び下限設定を行い（図５を参照して後述する。）、記憶部７７２に記憶保持する機能部である。尚、記憶部７７２は、内容を書き換え可能で、且つバッテリーからの電源供給が喪失された場合でも、内容が消失しないＥＥＰＲＯＭを用いるのが好適であり、記憶部７７２には制御部７７１の機能を実現するためのプログラムも格納されている。
【００８３】
開閉状態演算部７７７２は、当該手動遮蔽装置６における遮蔽材の開閉を検知するためのセンサーとして機能するエンコーダー７５の出力値を基に当該遮蔽材の開閉位置に係る上限及び下限に対する相対値から当該遮蔽材の開閉状態を演算し、その演算結果を開閉状態監視部７７７３に出力する機能部である。
【００８４】
開閉状態監視部７７７３は、開閉状態演算部７７７２によって演算した当該遮蔽材の開閉状態を記憶部７７２に記憶保持し監視する機能部であり、記憶部７７２に記憶保持した当該遮蔽材の開閉状態が更新される度に、開閉状態通知部７７７４を機能させてホームサーバー８に通知し管理させる。
【００８５】
開閉状態通知部７７７４は、近距離無線通信部７７３を制御して、記憶部７７２に記憶保持した当該遮蔽材の開閉状態が更新される度にホームサーバー８に通知する機能、外出判定機２からの信号（上述した開閉状態要求信号）を近距離無線通信（ＷｉＦｉ等）で受け付ける度に、当該遮蔽材の開閉状態を移動端末５（或いは固定端末１２でもよい）に通知するべくホームサーバー８と近距離無線通信を確立する機能を有する機能部である。尚、開閉状態通知部７７７４は、固定端末１２（或いは移動端末５でもよい）から近距離無線又は通信網１０経由でホームサーバー８に開閉状態要求があった場合も、当該遮蔽材の開閉状態を応答通知するべくホームサーバー８と近距離無線通信を確立する機能を有するものとしてもよい。
【００８６】
バッテリー７８は、制御ユニット７７及びエンコーダー７５に対し電力供給する機能部であり、充電端子７８ａから外部充電可能に構成される。この充電端子７８ａは、一般的なＡＣアダプタージャックを接続し充電可能する形態や、ＵＳＢコネクタで構成し他のＵＳＢ対応機器から充電可能とする形態とすることができる。
【００８７】
尚、バッテリー７８とオルタネーター７６とは図３に示す固定軸７２ａに設けられた挿通孔７２ｂを経てハーネスで接続され、オルタネーター７６の発電でバッテリー７８が充電される。また、バッテリー７８とエンコーダー７５、並びに制御ユニット７７とエンコーダー７５とは図３に示す固定軸７２ａに設けられた挿通孔７２ｂを経てそれぞれハーネスで接続され、エンコーダー７５はバッテリー７８から電力供給を受けて作動し、エンコーダー７５の出力値は制御ユニット７７に出力される。
【００８８】
設定操作部７９は、物理ボタンや液晶パネル形式のボタンで構成されたユーザインタフェースとして機能する機能部である。図５（ａ）は開閉状態検知装置７の設定操作部７９を概略的に示す図であり、図５（ｂ），（ｃ）は当該開閉状態検知装置７を設置する手動遮蔽装置６における遮蔽材６２の開閉の上限ＰＵ及び下限ＰＬを、設定操作部７９を経て当該開閉状態検知装置７に設定する様子を示す説明図である。
【００８９】
図５（ｂ）に示すように、操作者は操作コード６８を用いて遮蔽材６２を床面ＦＬに対し任意高さで所望の上限ＰＵまで操作し、設定操作部７９を経てその上限ＰＵとするエンコーダー７５の回転量を開閉状態検知装置７にゼロ設定する。続いて、図５（ｃ）に示すように、操作者は操作コード６８を用いて遮蔽材６２を床面ＦＬに対し任意高さで所望の下限ＰＬまで操作し、設定操作部７９を経てその下限ＰＬとするエンコーダー７５の回転量を開閉状態検知装置７に設定する。
【００９０】
図６は、本実施形態の開閉状態検知装置７の制御動作を示すフローチャートである。まず、開閉状態検知装置７は、制御部７７１の機能により、本例では外出判定機２から開閉状態要求が有るか否かを常に監視しており（ステップＳ１）、即ち外出判定機２からの信号（上述した開閉状態要求信号）が有るときは（ステップＳ１：Ｙ）、ステップＳ６に移行し、外出判定機２からの信号（上述した開閉状態要求信号）が無いときは（ステップＳ１：Ｎ）、ステップＳ２に移行する。
【００９１】
まず、ステップＳ２に移行すると、開閉状態検知装置７は、開閉状態監視部７７７３により開閉状態演算部７７７２から当該遮蔽材の開閉状態の出力が有るか否かにより、プーリー７１が回転中で有るか否かを常に監視する（ステップＳ２）。プーリー７１が回転中でない場合（ステップＳ２：Ｎ）、ステップＳ１に移行する。プーリー７１が回転中である場合（ステップＳ２：Ｙ）、開閉状態監視部７７７３により開閉状態演算部７７７２から当該遮蔽材の開閉状態の出力が有る状態であり、即ち、プーリー７１の回転が停止するまで（ステップＳ４）、開閉状態演算部７７７２によってエンコーダー７５の出力値をカウントさせ（ステップＳ４：Ｎ，Ｓ３）、演算した当該遮蔽材の開閉状態を開閉状態監視部７７７３に出力させる。
【００９２】
プーリー７１の回転が停止すると（ステップＳ４：Ｙ）、開閉状態検知装置７は、開閉状態監視部７７７３により当該カウントに基づく遮蔽材の開閉状態を記憶部７７２に更新すると共に（ステップＳ５）、開閉状態通知部７７７４を機能させて記憶部７７２に記憶保持されている当該遮蔽材の開閉状態が更新される度にホームサーバー８に通知する（ステップＳ７）。
【００９３】
一方、ステップＳ６に移行したときも、開閉状態検知装置７は、開閉状態監視部７７７３により開閉状態演算部７７７２から当該遮蔽材の開閉状態の出力が有るか否かにより、プーリー７１が回転中で有るか否かを常に監視する。プーリー７１が回転中である場合（ステップＳ６：Ｙ）、ステップＳ３に移行し上述の動作と同様となる。プーリー７１が回転中でない場合（ステップＳ６：Ｙ）、開閉状態通知部７７７４を機能させて記憶部７７２に記憶保持されている当該遮蔽材の開閉状態が更新される度にホームサーバー８に通知する（ステップＳ７）。
【００９４】
図７（ａ）は操作コード６８が無端状のボールチェーンで構成されるときの本発明による第１実施形態の開閉状態検知装置７におけるプーリー７１に係る構成とその動作を説明するための断面図であり、図７（ｂ）は操作コード６８が無端状の操作紐で構成されるときの本発明による第１実施形態の開閉状態検知装置７におけるプーリー７１に係る構成とその動作を説明するための断面図である。
【００９５】
まず、図７（ａ）は、上述したように、プーリー７１は、無端状の操作コード６８として２本垂下されているボールチェーン間に配置することができ、その２本のボールチェーンの各々のボール部６８ａと噛合させることができる。一対の支持部材７２は、図示するようにプーリー７１を両面から挟み込む円板面を有し、一対の支持部材７２のうち一方はプーリー７１の回転軸７１ａを貫通して軸支する固定軸７２ａが伸びており、一対の支持部材７２のうち他方はそのプーリー７１の回転軸７１ａと当該固定軸７２ａを貫通する貫通孔（図示せず）が設けられている。
【００９６】
そして、一対の支持部材７２にて互いに対向配置されるコードガイド７２１間には、ボールチェーンのボール部６８ａは通さないが、ボールチェーンの紐部６８ｂは通す隙間（図３参照）が形成され、これにより開閉状態検知装置７の本体を２本のボールチェーン間に外部から装着可能としている。２本のボールチェーンは操作時に互いに相対移動するため開閉状態検知装置７の位置が不変に支持されるようになり、開閉状態検知装置７の取り付け位置が変動することないことから、開閉状態検知装置７は２本のボールチェーンに対し任意箇所で取り付けることができる。
【００９７】
また、一対の支持部材７２にて互いに対向配置されるコードガイド７２１により、２本のボールチェーン間に一旦、開閉状態検知装置７の本体が装着されると、意図的に取り外さない限り、ボールチェーンの操作程度では容易には外れないようになっている。
【００９８】
尚、バッテリー７８とオルタネーター７６とは固定軸７２ａに設けられた挿通孔７２ｂを経てハーネスで接続され、オルタネーター７６の発電でバッテリー７８が充電される。また、バッテリー７８とエンコーダー７５、並びに制御ユニット７７とエンコーダー７５とは固定軸７２ａに設けられた挿通孔７２ｂを経てそれぞれハーネスで接続され、エンコーダー７５はバッテリー７８から電力供給を受けて作動し、エンコーダー７５の出力値は制御ユニット７７に出力される。図７では、代表して制御ユニット７７とエンコーダー７５とを接続するハーネス７７ａについてのみ参照番号を付して図示している。
【００９９】
一方、図７（ｂ）に示すように、操作コード６８が無端状の操作紐で構成されるときも、開閉状態検知装置７を同様に構成することができる。ただし、図７（ｂ）に示す例では、図７（ａ）に示す構成と比較して、プーリー７１について無端状の操作紐の移動に対し摩擦を生じさせるローレットが周縁に刻設されたものとしている点、及びプーリー７１に無端状の操作紐を係合させた後、当該操作紐を押圧する板バネ７０をコードガイド７２１に嵌着し、プーリー７１に対する操作紐の移動に対しより高摩擦を生じさせるように構成している点で相違している。
【０１００】
従って、図７（ｂ）に示す構成においても、プーリー７１は、無端状の操作コード６８として２本垂下されている操作紐間に配置することができ、その２本の操作紐の各々を高摩擦で噛合させることができる。
【０１０１】
そして、板バネ７０の嵌着前では、一対の支持部材７２にて互いに対向配置されるコードガイド７２１間には、操作紐は通す隙間が形成され、板バネ７０を後付けとすることで、開閉状態検知装置７の本体を２本のボールチェーン間に外部から装着可能としている。この場合も２本のボールチェーンは操作時に互いに相対移動するため、開閉状態検知装置７の取り付け位置が変動することないことから、開閉状態検知装置７は２本のボールチェーンに対し任意箇所で取り付けることができる。
【０１０２】
また、板バネ７０は、一旦コードガイド７２１に嵌着されると、意図的に取り外さない限り、操作紐の操作程度では容易には外れないようになっている。尚、板バネ７０を用いる代わりに、コードガイド７２１の形状として、プーリー７１に対し当該操作紐を押圧する構成とすることも可能である。
【０１０３】
従って、開閉状態検知装置７は、プーリー７１の交換程度で、ボールチェーンであるか操作紐であるかを問わず、操作コード６８に対し取り付けることができる。
【０１０４】
尚、開閉状態検知装置７について壁等に固定する形態とすることもできる。例えば、図３に例示した手動遮蔽装置６について、図８（ａ）に示すように壁枠Ｗに設置し、壁枠Ｗの測壁の一部を切り欠いて案内壁Ｗ１を形成し、操作コード６８を垂下案内する形態とすることがある。この場合に、その案内壁Ｗ１の一部に壁掛け部位Ｗ２を設けておき、図８（ｂ）に例示するようなフック３０を開閉状態検知装置７の本体ケース７３に取り付ける形態とする。これによりフック３０を壁掛け部位Ｗ２に掛装することで開閉状態検知装置７について操作コード６８に対し取り付けた状態で壁等に固定することができる。また、図８（ｃ）に示すように、開閉状態検知装置７における固定軸７２ａの貫通孔７２ｃ（図３及び図７参照）に連通するよう、本体ケース７４にも貫通孔７４ａを設け（本体ケース７３にも同様に貫通孔を設ける。）、壁枠Ｗに対し取り付けネジ４０等によるビス打ちで固定する形態とすることもできる。
【０１０５】
また、開閉状態検知装置７について壁等に固定するときは、２本のボールチェーン間に取り付ける必要はなく、更に操作紐を直引きする手動遮蔽装置６の形態でもその操作紐に対し開閉状態検知装置７を取り付けて、上述と同様の機能を持たせることができる。
【０１０６】
例えば、図９（ａ）に示すように、開閉状態検知装置７の本体ケース７３又は７４が物理的に壁等に固定される場合では、無端状で垂下する２本のボールチェーンのうち１本に対し開閉状態検知装置７を取り付けた場合でも、上述した開閉状態検知装置７の機能を実現できる。
【０１０７】
更に、図７（ｂ）からの変形例として、図９（ａ）に示すように、開閉状態検知装置７の本体ケース７３又は７４が物理的に壁等に固定される場合では、直引き操作紐で構成される操作コード６８に対し開閉状態検知装置７を取り付けた場合でも、上述した開閉状態検知装置７の機能を実現できる。図１０（ａ），（ｂ）は、それぞれ直引き操作紐で構成される操作コード６８を有する手動遮蔽装置６を例示する図である。
【０１０８】
図１０（ａ）は、操作コード６８が直引き操作紐で構成される典型的な横型ブランドの例であり、ヘッドボックス６１から垂下される複数のラダーコード６６４により多数段のスラットが遮蔽材６２として吊下支持され、各ラダーコード６６４の下端はボトムレール６３に取着される。各ラダーコード６６４の上端は、チルトドラム６６２に取着される。チルトドラム６６２は、ヘッドボックス６１内にそれぞれ配設される支持部材６６３に回転可能に支持される。各チルトドラム６６２にはチルト駆動軸６６１が相対回転不能に貫通され、チルト駆動軸６６１が回転すると多数段のスラットの角度が同位相で回動する。ヘッドボックス６１の一端側にはギヤボックス（図示略）が設けられ、このギヤボックスに多角筒状体で構成されたチルト操作棒６６５の上端が連結される。チルト操作棒６６５の回転操作でチルト駆動軸６６１を回転させることができ、これにより多数段のスラットの角度を操作することができる。
【０１０９】
一端がボトムレール６３に取着された複数の操作コード６８は、それぞれ各ラダーコード６６４に沿って支持部材６６３にて折り返されて、上記のギヤボックスの位置に設けられるコード導出口６１ａに向かってヘッドボックス６１内で案内され、そのコード導出口６１ａからヘッドボックス６１の外部に導出される。ヘッドボックス６１の外部に導出された操作コード６８は、チルト操作棒６６５の内部に挿通された後、つまみ６６７に連結されている。尚、ヘッドボックス６１内には、自重降下を防止するコードストッパ６９ａが設けられている。従って、操作コード６７は遮蔽材をダイレクトに開閉させる昇降コードとして作用し、つまみ６６７を引き出すことで、即ち操作コード６７を直引きすることで、ボトムレール６３を上昇させてスラットを畳み込むことができ、つまみ６６７を手放すとコードストッパ６９ａの作動で、ボトムレール６３の自重降下が防止される。また、つまみ６６７の僅かな引き操作でコードストッパ６９ａの作動を解除すると、ボトムレール６３を自重降下させることができる。
【０１１０】
そこで、図１０（ａ）に示すように、チルト操作棒６６５上に開閉状態検知装置７を固定し、操作コード６８に対して係合させることで、上述と同様に開閉状態検知装置７を機能させることができる。尚、コード導出口６１ａからヘッドボックス６１の外部に導出された操作コード６８はそのまま垂下させ、ボトムレール６３に連結する形態もあり、この場合も操作コード６７を直引き操作として同様に動作する。
【０１１１】
従って、図１０（ｂ）に示すように、チルト操作棒を有しておらず、操作コード６８が直引き操作紐で構成されるプリーツスクリーン等の手動遮蔽装置６の場合でも、例えば図８（ｂ）に例示したフック掛けと同様にコード導出口６１ａに開閉状態検知装置７を固定し、操作コード６８に対して係合させることで、上述と同様に開閉状態検知装置７を機能させることができる。
【０１１２】
（外出判定機）
図１１は、図１に示す本実施形態の遮蔽材状態検知システム１に係る外出判定機２の概略構成を示すブロック図である。外出判定機２は、第１ビーコン通信部２１、第２ビーコン通信部２２、制御部２３、近距離無線通信部２４、及び記憶部２５を備える。
【０１１３】
第１ビーコン通信部２１は、第１双方向ビーコン通信機３と有線通信で、或いは近距離無線通信で接続され、第１双方向ビーコン通信機３から移動端末５による第１ユーザＩＤ応答信号（ビーコンＩＤ，ユーザＩＤ付き）を受信すると、制御部２３に転送通知する機能部である。
【０１１４】
第２ビーコン通信部２２は、第２双方向ビーコン通信機４と有線通信で、或いは近距離無線通信で接続され、第３双方向ビーコン通信機４から移動端末５による第２ユーザＩＤ応答信号（ビーコンＩＤ，ユーザＩＤ付き）を受信すると、制御部２３に転送通知する機能部である。
【０１１５】
制御部２３は、設定部２１、外出判定部２３２、及び開閉状態要求部２３３を有する。
【０１１６】
設定部２１は、第１双方向ビーコン通信機３及び第２双方向ビーコン通信機４の各々との通信を行うための設定と、全ての開閉状態検知装置７との通信を行うための設定（デバイスＩＤ設定を含む。）と、を行う機能部であり、各種設定は記憶部２５に記憶保持される。尚、設定部２１における各種設定は、移動端末５から設定できるようになっている。
【０１１７】
外出判定部２３２は、第１双方向ビーコン通信機３からの第１ユーザＩＤ応答信号（ビーコンＩＤ，ユーザＩＤ付き）の受信時刻と、第２双方向ビーコン通信機４からの第２ユーザＩＤ応答信号（ビーコンＩＤ，ユーザＩＤ付き）の受信時刻との相対時刻を監視することにより、移動端末５を持つユーザが玄関Ｈ２から外出したか否かの外出判定を行う機能部である。外出判定部２３２は、移動端末５を持つユーザが外出したと判定した場合、そのユーザＩＤを開閉状態要求部２３３に通知する。
【０１１８】
開閉状態要求部２３３は、外出判定部２３２から移動端末５を持つユーザが外出したと判定したときに通知されるユーザＩＤを基に、近距離無線通信部２４を制御して、全ての開閉状態検知装置７に対し、それぞれ対応する遮蔽材の開閉状態の情報をホームサーバー８に通知するよう要求する開閉状態要求信号（ユーザＩＤ付き）を発信するよう制御する。
【０１１９】
近距離無線通信部２４は、開閉状態要求部２３３の制御により、当該開閉状態要求信号（ユーザＩＤ付き）を近距離無線通信で全ての開閉状態検知装置７に発信する。外出判定機２における近距離無線通信部２４と開閉状態検知装置７とは近距離無線通信で相互通信可能であり、開閉状態検知装置７からの受信応答があるまで当該開閉状態要求信号（ユーザＩＤ付き）を発信する。
【０１２０】
これにより、図６を参照して説明したように、各開閉状態検知装置７が外出判定機２からの開閉状態要求信号（ユーザＩＤ付き）に応じた制御を行うことができる。
【０１２１】
尚、本実施形態の遮蔽材状態検知システム１に係る外出判定機２は、例えば、双方向ビーコン通信機能、及び近距離無線通信機能を有する一般的なコンピュータに対して、上記の制御部２３の機能を持たせるためのアプリケーション（プログラム）をインストールすることで実現することができる。
【０１２２】
（移動端末）
図１２は、図１に示す本実施形態の遮蔽材状態検知システム１に係る移動端末５の概略構成を示すブロック図である。
【０１２３】
図１２に示す移動端末５は、制御部５１、操作部５２、ビーコン通信部５３、近距離無線通信部５４、通信網無線通信部５５、提示部５６、及び記憶部５７を備える。
【０１２４】
制御部５１は、設定部５１１、ビーコン信号受信応答制御部５１２、開閉状態通知受信制御部５１３、及び開閉状態通知提示制御部５１４を有する。
【０１２５】
設定部５１１は、操作部５２から、第１双方向ビーコン通信機３及び第２双方向ビーコン通信機４の各々との双方向ビーコン通信を行うための設定と、外出判定機２に対する設定（ユーザＩＤ設定を含む。）と、ホームサーバー８との近距離無線通信を行うための設定（ユーザＩＤ設定を含む。）と、インターネット等の通常の通信網無線通信を行うための設定と、を行う機能部であり、各種設定は記憶部５７に記憶保持される。
【０１２６】
ビーコン信号受信応答制御部５１２は、ビーコン通信部５３を介して、第１双方向ビーコン通信機３及び第２双方向ビーコン通信機４の各々からのビーコン信号の受信を監視し、第１双方向ビーコン通信機３又は第２双方向ビーコン通信機４からビーコン信号を受信すると、ユーザＩＤを付して該ビーコン信号を受信した旨を示す応答信号（第１双方向ビーコン通信機３に対する第１ユーザＩＤ応答信号、又は第２双方向ビーコン通信機４に対する第１ユーザＩＤ応答信号）を対応する第１双方向ビーコン通信機３又は第２双方向ビーコン通信機４に返信する機能部である。
【０１２７】
開閉状態通知受信制御部５１３は、近距離無線通信部５４を介してホームサーバー８から無線ルーター９経由の近距離無線通信で、又は通信網無線通信部５５を介してホームサーバー８から無線基地局１０ａを経た無線通信経由で、各開閉状態検知装置７のデバイスＩＤに基づいた各手動遮蔽装置６の遮蔽材の開閉状態を示す通知（プッシュ通知、音声通知又はメール通知とするユーザＩＤ別開閉状態通知信号）を受信し、開閉状態通知提示制御部５１４を制御する機能部である。尚、ホームサーバー８からは、デバイスＩＤ毎に遮蔽材の開閉状態が所定の通知条件（本例では、開度６０％以上のとき通知するという条件をデフォルトとするが、ユーザが個別設定可能）を満たす場合に移動端末５に通知され、更に、いずれの開閉状態検知装置７のデバイスＩＤに係る手動遮蔽装置６が開度６０％以上の状態にあるかが識別されるように移動端末５に通知される。
【０１２８】
開閉状態通知提示制御部５１４は、開閉状態通知受信制御部５１３の制御により、当該ユーザＩＤ別開閉状態通知信号がプッシュ通知によるものであれば提示部５６の一構成として表示画面にプッシュ通知表示を行い、音声通知によるものであれば提示部５６の一構成として音声告知を行い、メール通知によるものであれば提示部５６の一構成としてメール受信告知を行う機能部である。
【０１２９】
ビーコン通信部５３は、第１双方向ビーコン通信機３及び第２双方向ビーコン通信機４の各々と双方向ビーコン通信を行う機能部である。
【０１３０】
近距離無線通信部５４は、ホームサーバー８と近距離無線通信を行う機能部である。
【０１３１】
通信網無線通信部５５は、インターネット等の通常の通信網無線通信を行うための機能部であり、通信網１０の一部を為す無線基地局１０ａを経た無線通信経由でホームサーバー８と無線通信を行う機能部である。ホームサーバー８と近距離無線通信を行う機能部である。
【０１３２】
提示部５６は、プッシュ通知に従うプッシュ通知表示を行う表示画面、音声通知に従う音声告知を行うスピーカ、メール通知に従うメール機能部のうちいずれか１以上からなる。
【０１３３】
これにより、移動端末５を持つユーザが図１に示す玄関Ｈ２から外出しようとした時点で、いずれかの手動遮蔽装置６が開度６０％以上の状態にあればホームサーバー８から移動端末５に通知されるため、ユーザはその開度６０％以上の状態にある手動遮蔽装置６の設置位置が分かる態様で直ちに把握することができ、遮蔽材の閉じ忘れ等を防止するのに起用するようになる。
【０１３４】
尚、本実施形態の遮蔽材状態検知システム１に係る移動端末５は、例えば、双方向ビーコン通信機能、近距離無線通信機能、及びインターネット等の通常の通信網無線通信機能を有する一般的なスマートフォンに対して、上記の制御部５１の機能を持たせるためのアプリケーション（プログラム）をインストールすることで実現することができる。
【０１３５】
（ホームサーバー）
図１３は、図１に示す本実施形態の遮蔽材状態検知システム１に係るホームサーバー８の概略構成を示すブロック図である。また、図１４（ａ）は、ホームサーバー８における管理情報を例示する図であり、図１４（ｂ）は通知対象となる手動遮蔽装置６における遮蔽材の開閉状態が移動端末５にプッシュ通知されるときの内容を例示する図である。
【０１３６】
図１３に示すホームサーバー８は、制御部８１、操作部８２、表示部８３、近距離無線通信部８４、通信部８５、及び記憶部８６を備える。
【０１３７】
制御部８１は、設定部８１１、開閉状態通知受信制御部８１２、デバイス別開閉状態・通知判定部８１３、デバイス別開閉状態通知送信制御部８１４、及び開閉状態管理部８１５を備える。
【０１３８】
設定部８１１は、操作部８２から、各開閉状態検知装置７及び移動端末５との近距離無線通信を行うための設定（ユーザＩＤ設定及びデバイスＩＤ設定を含む。）と、インターネット等の通常の通信網無線通信を行うための設定と、それぞれのデバイスＩＤを有する各開閉状態検知装置７に対し通知条件（本例では、開度６０％以上のとき通知するという条件をデフォルトとするが、ユーザが個別設定可能）の設定と、各開閉状態検知装置７を設置する手動遮蔽装置６に対し設置位置を示すフロア登録、及び通信端末（移動端末５及び固定端末１２を含む。）に対する送付メッセージとその通知先及び通知方法（プッシュ通知、音声通知又はメール通知等）の設定と、を行う機能部であり、各種設定は記憶部８６に記憶保持される。
【０１３９】
例えば、記憶部８６には、図１４（ａ）に例示するように、ホームサーバー管理情報として、デバイスＩＤ毎に手動遮蔽装置６における遮蔽材の開閉状態を更新するよう管理するためのデバイス登録／状態管理テーブルと、ユーザＩＤ毎にフロア登録に応じた送付メッセージを登録し送付メッセージとその通知先及び通知方法（プッシュ通知、音声通知又はメール通知等）を管理するためのユーザ登録／管理テーブルが保持される。
【０１４０】
開閉状態通知受信制御部８１２は、近距離無線通信部８４を介して各開閉状態検知装置７から無線ルーター９経由の近距離無線通信で、各デバイスＩＤに係る開閉状態通知信号（ユーザＩＤ，デバイスＩＤ付き）を受信し、デバイス別開閉状態・通知判定部８１３及び開閉状態管理部８１５に転送する機能部である。
【０１４１】
デバイス別開閉状態・通知判定部８１３は、各開閉状態検知装置７から各デバイスＩＤに係る開閉状態通知信号（ユーザＩＤ，デバイスＩＤ付き）を受信する度に、記憶部８６に更新される開閉状態について設定されている当該通知条件に基づきユーザに通知すべきか否かを判定する機能部である。デバイス別開閉状態・通知判定部８１３は、ユーザに通知すべきと判定したとき、デバイス別開閉状態通知送信制御部８１４を制御する。
【０１４２】
デバイス別開閉状態通知送信制御部８１４は、近距離無線通信部８４又は通信部８５を介して、記憶部８６に設定されている通知方法で、設定されている通知先に、開閉状態通知信号（ユーザＩＤ，デバイスＩＤ付き）に応じた通知の送信を行う機能部である。例えば、デバイス別開閉状態通知送信制御部８１４は、プッシュ通知によるユーザＩＤ別開閉状態通知信号を近距離無線通信で移動端末５に、音声通知によるユーザＩＤ別開閉状態通知信号を近距離無線通信で移動端末５に、メール通知によるユーザＩＤ別開閉状態通知信号を通信網１０の無線基地局１０ａ経由で移動端末５に、音声通知によるユーザＩＤ別開閉状態通知信号を近距離無線通信でスマートスピーカ１１に、メール通知によるユーザＩＤ別開閉状態通知信号を通信網１０又は無線基地局１０ａ経由で固定端末１２に、開閉状態通知信号（ユーザＩＤ，デバイスＩＤ付き）に応じた通知をユーザＩＤ別開閉状態通知信号として送信する。
【０１４３】
開閉状態管理部８１５は、図１４（ａ）に例示したホームサーバー管理情報として、各開閉状態検知装置７のデバイスＩＤに基づいて各手動遮蔽装置６の遮蔽材の開閉状態を集約して記憶部８６に記憶保持する機能部である。特に、開閉状態管理部８１５は、各開閉状態検知装置７から各デバイスＩＤに係る開閉状態通知信号（ユーザＩＤ，デバイスＩＤ付き）を受信する度に、対応する手動遮蔽装置６の遮蔽材の開閉状態を記憶部８６に更新して記憶保持する。更に、開閉状態管理部８１５は、固定端末１２（或いは移動端末５でもよい）から近距離無線又は通信網１０経由で開閉状態要求があった場合も、記憶部８６に記憶保持されている内容から読み出し当該遮蔽材の開閉状態を応答通知する機能を有する。図１４（ｂ）には通知対象となる手動遮蔽装置６における遮蔽材の開閉状態が移動端末５にプッシュ通知されるときの内容を例示している。
【０１４４】
尚、開閉状態管理部８１５は、固定端末１２（或いは移動端末５でもよい）から近距離無線又は通信網１０経由で開閉状態要求があった場合に、当該遮蔽材の開閉状態を応答通知するべく、改めて開閉状態検知装置７と近距離無線通信を確立する機能を有するものとしてもよい。
【０１４５】
操作部８２は、設定部８１１を機能させるためのユーザインタフェースである。
【０１４６】
表示部８３は、設定部８１１による設定内容を表示する表示画面を持つ表示媒体である。
【０１４７】
近距離無線通信部８４は、各々の開閉状態検知装置７、移動端末５、及びスマートスピーカ１１と近距離無線通信を行う機能部である。
【０１４８】
通信部８５は、インターネット等の通常の通信網無線通信を行うための機能部であり、通信網１０又は無線基地局１０ａを介して移動端末５、及び固定端末１２と無線又は有線通信を行う機能部である。
【０１４９】
このように、ホームサーバー８は、各デバイスＩＤに係る開閉状態通知信号（ユーザＩＤ，デバイスＩＤ付き）を受信する度に、対応する手動遮蔽装置６の遮蔽材の開閉状態を更新して記憶部８６に記憶保持すると共に、その更新される開閉状態について所定の通知条件に基づきユーザに通知すべきか否かを判定した上で、無線ルーター９経由の近距離無線通信で、又は無線基地局１０ａを経た無線通信経由で移動端末５にプッシュ通知、音声通知又はメール通知するか、或いは近距離無線通信でスマートスピーカ１１にて音声発信するよう通知するものとなっている。
【０１５０】
尚、本実施形態の遮蔽材状態検知システム１に係るホームサーバー８は、例えば、近距離無線通信機能、及びインターネット等の通常の通信網無線通信機能を有する一般的なコンピュータに対して、上記の制御部８１の機能を持たせるためのアプリケーション（プログラム）をインストールすることで実現することができる。
【０１５１】
これにより、移動端末５を持つユーザの外出時に、手動遮蔽装置６であっても、その開閉状態を直ちに知らせることができ、いずれかの手動遮蔽装置６の閉じ忘れを防止するのに寄与するようになる。尚、本例では主として、外出判定機２が、第１双方向ビーコン通信機３及び第２双方向ビーコン通信機４の各々を利用することで「移動端末５を持つユーザの外出判定」を行うものとしているが、外出判定機２が、第２双方向ビーコン通信機４のみを利用することで「移動端末５を持つユーザの外出／入出判定」を行うように構成して、移動端末５を持つユーザの入出時においても、遮蔽材の開閉状態を通知することで留守中に異常な状態になっていないか等の保安性に有利な動作形態とすることも可能である。
【０１５２】
また、各手動遮蔽装置６の遮蔽材の開閉状態は、ホームサーバー８に集約されて保持されているため、固定端末１２及び移動端末５から常時、確認可能となる。
【０１５３】
従って、本実施形態によれば、手動遮蔽装置６に対しても、通信端末（固定端末１２及び移動端末５）を用いて、ユーザの外出時等を含み、屋外から手動遮蔽装置６における遮蔽材の開閉状態を確認することができるようになる。
【０１５４】
（第１変形例）
図１５は、図３及び図４に示す開閉状態検知装置７を設置した手動遮蔽装置６における遮蔽材の開閉状態を、通信端末（固定端末１２及び移動端末５）を用いて確認可能とする第１変形例の遮蔽材状態検知システム１の概略構成を例示する図である。尚、上述したように、本願明細書中、同様な構成要素には同一の参照番号を付している。また、図１６は、第１変形例の遮蔽材状態検知システム１の全体動作を例示するフローチャートである。
【０１５５】
図１５及び図１６に示す第１変形例の遮蔽材状態検知システム１は、図１に示す構成と比較して、図１１に示す外出判定機２の機能が図１３に示すホームサーバー８に組み入れられている点で相違しており、この相違点に係る構成以外である、図３及び図４に示す開閉状態検知装置７、及び図１２に示す移動端末５の各機能ブロックの構成は全て同様である。
【０１５６】
即ち、図１５及び図１６に示す第１変形例の遮蔽材状態検知システム１は、第１双方向ビーコン通信機３と、第２双方向ビーコン通信機４と、利用登録された移動端末５と、遮蔽材状態の検知対象とする手動遮蔽装置６に設置される開閉状態検知装置７と、ホームサーバー８と、無線ルーター９と、スマートスピーカ１１と、を備える。
【０１５７】
第１双方向ビーコン通信機３は、固有のビーコンＩＤを有し屋内Ｈ１に設置され、常時、ビーコン信号を発信しており（図１６：Ｓ２１）、利用登録されユーザＩＤが設定された移動端末５から該ビーコン信号を受信した旨を示す応答信号（第１ユーザＩＤ応答信号）を受け付け（図１６：Ｓ２２）、その受け付けた旨を該ビーコンＩＤ及びユーザＩＤと共に第１応答通知信号（図１６：Ｓ２３）としてホームサーバー８に通知する機能を有する。
【０１５８】
第２双方向ビーコン通信機４は、固有のビーコンＩＤを有し玄関Ｈ２近傍に設置され、常時、ビーコン信号を発信しており（図１６：Ｓ２１）、利用登録された移動端末５から該ビーコン信号を受信した旨を示す応答信号（第２ユーザＩＤ応答信号）を受け付け（図１６：Ｓ２４）、その受け付けた旨を該ビーコンＩＤ及びユーザＩＤと共に第２応答通知信号（図１６：Ｓ２５）としてホームサーバー８に通知する機能を有する。
【０１５９】
ホームサーバー８は、第１双方向ビーコン通信機３及び第２双方向ビーコン通信機４の各々と有線通信で、或いは近距離無線通信で接続され、第１双方向ビーコン通信機３からの第１ユーザＩＤ応答信号（ビーコンＩＤ，ユーザＩＤ付き）の受信時刻と、第２双方向ビーコン通信機４からの第２ユーザＩＤ応答信号（ビーコンＩＤ，ユーザＩＤ付き）の受信時刻との相対時刻を監視することにより、移動端末５を持つユーザが玄関Ｈ２から外出したか否かの外出判定を行う（図１６：Ｓ２６）。移動端末５を持つユーザが外出したと判定した場合、ホームサーバー８は、全ての開閉状態検知装置７に対し、それぞれ対応する遮蔽材の開閉状態の情報を要求する開閉状態要求信号（ユーザＩＤ付き）を近距離無線通信で発信する（図１６：Ｓ２７）。
【０１６０】
各手動遮蔽装置６に設置されるそれぞれの開閉状態検知装置７は、それぞれ固有のデバイスＩＤを有し、上述した第１実施形態と同様、それぞれ設置対象の手動遮蔽装置６における遮蔽材の開閉状態を示す情報を常時監視して記憶保持しており、ホームサーバー８からの開閉状態要求信号（ユーザＩＤ付き）の受信に応じて、その受信時点の当該遮蔽材の開閉状態の情報を開閉状態通知信号（ユーザＩＤ，デバイスＩＤ付き）としてホームサーバー８に近距離無線通信で通知する（図１６：Ｓ２８）。尚、各開閉状態検知装置７は、ホームサーバー８から受信確認応答が得られるまで当該開閉状態通知信号（ユーザＩＤ，デバイスＩＤ付き）をホームサーバー８に通知する。
【０１６１】
ホームサーバー８は、上述した第１実施形態と同様、デバイスＩＤに基づいて各手動遮蔽装置６の遮蔽材の開閉状態を集約して記憶保持しており、各デバイスＩＤに係る開閉状態通知信号（ユーザＩＤ，デバイスＩＤ付き）を受信する度に、対応する手動遮蔽装置６の遮蔽材の開閉状態を更新して記憶保持すると共に、その更新される開閉状態について所定の通知条件に基づきユーザに通知すべきか否かを判定した上で、無線ルーター９経由の近距離無線通信で、又は無線基地局１０ａを経た無線通信経由で移動端末５にユーザＩＤ別開閉状態通知信号として通知（プッシュ通知、音声通知又はメール通知）するか、或いは近距離無線通信でスマートスピーカ１１にて音声発信で通知する（図１６：Ｓ２９）。
【０１６２】
従って、図１５において、典型的な動作として、移動端末５を持つユーザが玄関Ｈ２から外出しようとすると、移動端末５から第２ユーザＩＤ応答信号が第２双方向ビーコン通信機４に送信され（図示Ｂ１）、これに応じて、第２双方向ビーコン通信機４はその第２ユーザＩＤ応答信号をホームサーバー８に通知する（図示Ｂ２）。この通知を受けたホームサーバー８から全ての開閉状態検知装置７に対し開閉状態要求信号（ユーザＩＤ付き）を発信することで、全ての開閉状態検知装置７は、ホームサーバー８からの開閉状態要求信号（ユーザＩＤ付き）の受信に応じて、その受信時点の当該遮蔽材の開閉状態の情報を示す開閉状態通知信号（ユーザＩＤ，デバイスＩＤ付き）をホームサーバー８に通知する（図示Ｂ３，Ｂ３’）。最終的に、ホームサーバー８は、全てのデバイスＩＤに関する開閉状態通知信号（ユーザＩＤ，デバイスＩＤ付き）の受信完了時に、所定の通知条件を満たすデバイスＩＤに係る手動遮蔽装置６がユーザに理解される態様で、移動端末５にプッシュ通知、音声通知又はメール通知するか（図示Ｂ４）、或いはスマートスピーカ１１にて音声発信するよう通知する（図示Ｂ５）。
【０１６３】
これにより、移動端末５を持つユーザの外出時に、手動遮蔽装置６であっても、その開閉状態を直ちに知らせることができ、いずれかの手動遮蔽装置６の閉じ忘れを防止するのに寄与するようになる。ただし、本例においても主として、ホームサーバー８が、第１双方向ビーコン通信機３及び第２双方向ビーコン通信機４の各々を利用することで「移動端末５を持つユーザの外出判定」を行うものとしているが、ホームサーバー８が、第２双方向ビーコン通信機４のみを利用することで「移動端末５を持つユーザの外出／入出判定」を行うように構成して、移動端末５を持つユーザの入出時においても、遮蔽材の開閉状態を通知することで留守中に異常な状態になっていないか等の保安性に有利な動作形態とすることも可能である。
【０１６４】
また、各手動遮蔽装置６の遮蔽材の開閉状態は、ホームサーバー８に集約されて保持されているため、固定端末１２及び移動端末５から常時、確認可能となる。
【０１６５】
（第２変形例）
図１７は、図３及び図４に示す開閉状態検知装置７を設置した手動遮蔽装置６における遮蔽材の開閉状態を、通信端末（固定端末１２及び移動端末５）を用いて確認可能とする第２変形例の遮蔽材状態検知システム１の概略構成を例示する図である。また、図１８は、第２変形例の遮蔽材状態検知システム１の全体動作を例示するフローチャートである。
【０１６６】
図１７及び図１８に示す第２変形例の遮蔽材状態検知システム１は、図１５に示す第１変形例の構成と比較して、第１双方向ビーコン通信機３及び第２双方向ビーコン通信機４とする代わりに、それぞれ単にビーコン信号を発信する第１ビーコン発信機３’及び第２ビーコン発信機４’で構成している点、並びに、移動端末５が第１ビーコン発信機３’及び第２ビーコン発信機４’からの各ビーコン信号の受信をホームサーバー８に通知するように構成している点で相違しており、この相違点に係る構成以外である、図３及び図４に示す開閉状態検知装置７は同様であり、尚且つ図１２及び図１３にそれぞれ示す移動端末５及びホームサーバー８の具体的な機能ブロックは、通信相手を変更する設定を行うことで実現されるため、同様の構成となりその更なる説明は省略する。
【０１６７】
即ち、図１７及び図１８に示す第２変形例の遮蔽材状態検知システム１は、第１ビーコン発信機３’と、第２ビーコン発信機４’と、利用登録された移動端末５と、遮蔽材状態の検知対象とする手動遮蔽装置６に設置される開閉状態検知装置７と、ホームサーバー８と、無線ルーター９と、スマートスピーカ１１と、を備える。
【０１６８】
第１ビーコン発信機３’は、固有のビーコンＩＤを有し屋内Ｈ１に設置され、常時、ビーコン信号を発信している（図１８：Ｓ３１）。そして、利用登録されユーザＩＤが設定された移動端末５は、該ビーコン信号を受信した旨を示す応答として、その受信した旨を該ビーコンＩＤ及びユーザＩＤと共に第１ユーザＩＤ応答信号（図１８：Ｓ３２）としてホームサーバー８に通知する機能を有する。
【０１６９】
第２ビーコン発信機４’は、固有のビーコンＩＤを有し玄関Ｈ２近傍に設置され、常時、ビーコン信号を発信している（図１８：Ｓ３１）。そして、利用登録されユーザＩＤが設定された移動端末５は、該ビーコン信号を受信した旨を示す応答として、その受信した旨を該ビーコンＩＤ及びユーザＩＤと共に第２ユーザＩＤ応答信号（図１８：Ｓ３３）としてホームサーバー８に通知する機能を有する。
【０１７０】
ホームサーバー８は、移動端末５からの第１ユーザＩＤ応答信号（ビーコンＩＤ，ユーザＩＤ付き）の受信時刻と第２ユーザＩＤ応答信号（ビーコンＩＤ，ユーザＩＤ付き）の受信時刻との相対時刻を監視することにより、移動端末５を持つユーザが玄関Ｈ２から外出したか否かの外出判定を行う（図１８：Ｓ３４）。移動端末５を持つユーザが外出したと判定した場合、ホームサーバー８は、全ての開閉状態検知装置７に対し、それぞれ対応する遮蔽材の開閉状態の情報を要求する開閉状態要求信号（ユーザＩＤ付き）を近距離無線通信で発信する（図１８：Ｓ３５）。
【０１７１】
各手動遮蔽装置６に設置されるそれぞれの開閉状態検知装置７は、それぞれ固有のデバイスＩＤを有し、上述した第１実施形態及び第１変形例と同様、それぞれ設置対象の手動遮蔽装置６における遮蔽材の開閉状態を示す情報を常時監視して記憶保持しており、ホームサーバー８からの開閉状態要求信号（ユーザＩＤ付き）の受信に応じて、その受信時点の当該遮蔽材の開閉状態の情報を開閉状態通知信号（ユーザＩＤ，デバイスＩＤ付き）としてホームサーバー８に近距離無線通信で通知する（図１８：Ｓ３６）。尚、各開閉状態検知装置７は、ホームサーバー８から受信確認応答が得られるまで当該開閉状態通知信号（ユーザＩＤ，デバイスＩＤ付き）をホームサーバー８に通知する。
【０１７２】
ホームサーバー８は、上述した第１実施形態及び第１変形例と同様、デバイスＩＤに基づいて各手動遮蔽装置６の遮蔽材の開閉状態を集約して記憶保持しており、各デバイスＩＤに係る開閉状態通知信号（ユーザＩＤ，デバイスＩＤ付き）を受信する度に、対応する手動遮蔽装置６の遮蔽材の開閉状態を更新して記憶保持すると共に、その更新される開閉状態について所定の通知条件に基づきユーザに通知すべきか否かを判定した上で、無線ルーター９経由の近距離無線通信で、又は無線基地局１０ａを経た無線通信経由で移動端末５にユーザＩＤ別開閉状態通知信号として通知（プッシュ通知、音声通知又はメール通知）するか、或いは近距離無線通信でスマートスピーカ１１にて音声発信で通知する（図１８：Ｓ３７）。
【０１７３】
従って、第２変形例は図１５に示す第１変形例の構成でも実現可能であるが、図１７において、その典型的な動作として、移動端末５を持つユーザが玄関Ｈ２から外出しようとすると、第２ビーコン発信機４’からのビーコン信号を受信した移動端末５から第２ユーザＩＤ応答信号がホームサーバー８に通知される（図示Ｃ１）。この通知を受けたホームサーバー８から全ての開閉状態検知装置７に対し開閉状態要求信号（ユーザＩＤ付き）を発信することで、全ての開閉状態検知装置７は、ホームサーバー８からの開閉状態要求信号（ユーザＩＤ付き）の受信に応じて、その受信時点の当該遮蔽材の開閉状態の情報を示す開閉状態通知信号（ユーザＩＤ，デバイスＩＤ付き）をホームサーバー８に通知する（図示Ｃ２，Ｃ２’）。最終的に、ホームサーバー８は、全てのデバイスＩＤに関する開閉状態通知信号（ユーザＩＤ，デバイスＩＤ付き）の受信完了時に、所定の通知条件を満たすデバイスＩＤに係る手動遮蔽装置６がユーザに理解される態様で、移動端末５にプッシュ通知、音声通知又はメール通知するか（図示Ｃ３）、或いはスマートスピーカ１１にて音声発信するよう通知する（図示Ｃ４）。
【０１７４】
これにより、移動端末５を持つユーザの外出時に、手動遮蔽装置６であっても、その開閉状態を直ちに知らせることができ、いずれかの手動遮蔽装置６の閉じ忘れを防止するのに寄与するようになる。ただし、本例においても主として、ホームサーバー８が、第１ビーコン発信機３’及び第２ビーコン発信機４’の各々の利用に基づくものとすることで「移動端末５を持つユーザの外出判定」を行うものとしているが、ホームサーバー８が、第２ビーコン発信機４’の利用のみに基づくものとすることで「移動端末５を持つユーザの外出／入出判定」を行うように構成して、移動端末５を持つユーザの入出時においても、遮蔽材の開閉状態を通知することで留守中に異常な状態になっていないか等の保安性に有利な動作形態とすることも可能である。
【０１７５】
また、各手動遮蔽装置６の遮蔽材の開閉状態は、ホームサーバー８に集約されて保持されているため、固定端末１２及び移動端末５から常時、確認可能となる。
【０１７６】
（第３変形例）
図１９は、図３及び図４に示す開閉状態検知装置７を設置した手動遮蔽装置６における遮蔽材の開閉状態を、通信端末（固定端末１２及び移動端末５）を用いて確認可能とする第３変形例の遮蔽材状態検知システム１の概略構成を例示する図である。また、図２０は、第３変形例の遮蔽材状態検知システム１の全体動作を例示するフローチャートである。
【０１７７】
図１９及び図２０に示す第３変形例の遮蔽材状態検知システム１は、図１７に示す第２変形例の構成と比較して、ホームサーバー８により外出判定を行う代わりに、移動端末５で外出判定を行うように構成している点で相違しており、この相違点に係る構成以外である、図３及び図４に示す開閉状態検知装置７は同様であり、尚且つ図１２及び図１３にそれぞれ示す移動端末５及びホームサーバー８の具体的な機能ブロックは、「外出判定」の機能をホームサーバー８ではなく移動端末５に持たせる変更を行うことで実現されるため、その更なる説明は省略する。そして、移動端末５は、双方向ビーコン通信機能、近距離無線通信機能、及びインターネット等の通常の通信網無線通信機能を有する一般的なスマートフォンに対して、制御部５１の機能として第３変形例に係る外出判定機能を追加した場合でも、その制御部５１の機能を持たせるためのアプリケーション（プログラム）をインストールすることで実現することができる。
【０１７８】
即ち、図１９及び図２０に示す第３変形例の遮蔽材状態検知システム１は、第１ビーコン発信機３’と、第２ビーコン発信機４’と、利用登録された移動端末５と、遮蔽材状態の検知対象とする手動遮蔽装置６に設置される開閉状態検知装置７と、ホームサーバー８と、無線ルーター９と、スマートスピーカ１１と、を備える。
【０１７９】
第１ビーコン発信機３’は、固有のビーコンＩＤを有し屋内Ｈ１に設置され、常時、ビーコン信号を発信している（図２０：Ｓ４１）。そして、利用登録されユーザＩＤが設定された移動端末５は、自ら該ビーコン信号の受信を管理する（図２０：Ｓ４２）。
【０１８０】
第２ビーコン発信機４’は、固有のビーコンＩＤを有し玄関Ｈ２近傍に設置され、常時、ビーコン信号を発信している（図２０：Ｓ４３）。そして、利用登録されユーザＩＤが設定された移動端末５は、自ら該ビーコン信号の受信を管理し、第１ビーコン発信機３’からのビーコン信号の受信時刻と第２ビーコン発信機４’からのビーコン信号の受信時刻との相対時刻を監視することにより、移動端末５を持つユーザが玄関Ｈ２から外出したか否かの外出判定を移動端末５自らが行う（図２０：Ｓ４４）。移動端末５を持つユーザが外出したと判定した場合、自ら移動端末５はユーザＩＤを示すユーザＩＤ通知信号（図２０：Ｓ４４）をホームサーバー８に通知する機能を有する。
【０１８１】
ホームサーバー８は、移動端末５からのユーザＩＤ通知信号を受信すると、全ての開閉状態検知装置７に対し、それぞれ対応する遮蔽材の開閉状態の情報を要求する開閉状態要求信号（ユーザＩＤ付き）を近距離無線通信で発信する（図２０：Ｓ４５）。
【０１８２】
各手動遮蔽装置６に設置されるそれぞれの開閉状態検知装置７は、それぞれ固有のデバイスＩＤを有し、上述した第１実施形態、並びに第１及び第２変形例と同様、それぞれ設置対象の手動遮蔽装置６における遮蔽材の開閉状態を示す情報を常時監視して記憶保持しており、ホームサーバー８からの開閉状態要求信号（ユーザＩＤ付き）の受信に応じて、その受信時点の当該遮蔽材の開閉状態の情報を開閉状態通知信号（ユーザＩＤ，デバイスＩＤ付き）としてホームサーバー８に近距離無線通信で通知する（図２０：Ｓ４６）。尚、各開閉状態検知装置７は、ホームサーバー８から受信確認応答が得られるまで当該開閉状態通知信号（ユーザＩＤ，デバイスＩＤ付き）をホームサーバー８に通知する。
【０１８３】
ホームサーバー８は、上述した第１実施形態、並びに第１及び第２変形例と同様、デバイスＩＤに基づいて各手動遮蔽装置６の遮蔽材の開閉状態を集約して記憶保持しており、各デバイスＩＤに係る開閉状態通知信号（ユーザＩＤ，デバイスＩＤ付き）を受信する度に、対応する手動遮蔽装置６の遮蔽材の開閉状態を更新して記憶保持すると共に、その更新される開閉状態について所定の通知条件に基づきユーザに通知すべきか否かを判定した上で、無線ルーター９経由の近距離無線通信で、又は無線基地局１０ａを経た無線通信経由で移動端末５にユーザＩＤ別開閉状態通知信号として通知（プッシュ通知、音声通知又はメール通知）するか、或いは近距離無線通信でスマートスピーカ１１にて音声発信で通知する（図２０：Ｓ４７）。
【０１８４】
従って、図２１において、その典型的な動作として、移動端末５を持つユーザが玄関Ｈ２から外出しようとすると、第２ビーコン発信機４’からのビーコン信号を受信した移動端末５が自ら外出判定し、ユーザＩＤ通知信号がホームサーバー８に通知される（図示Ｄ１）。この通知を受けたホームサーバー８から全ての開閉状態検知装置７に対し開閉状態要求信号（ユーザＩＤ付き）を発信することで、全ての開閉状態検知装置７は、ホームサーバー８からの開閉状態要求信号（ユーザＩＤ付き）の受信に応じて、その受信時点の当該遮蔽材の開閉状態の情報を示す開閉状態通知信号（ユーザＩＤ，デバイスＩＤ付き）をホームサーバー８に通知する（図示Ｄ２，Ｄ２’）。最終的に、ホームサーバー８は、全てのデバイスＩＤに関する開閉状態通知信号（ユーザＩＤ，デバイスＩＤ付き）の受信完了時に、所定の通知条件を満たすデバイスＩＤに係る手動遮蔽装置６がユーザに理解される態様で、移動端末５にプッシュ通知、音声通知又はメール通知するか（図示Ｄ３）、或いはスマートスピーカ１１にて音声発信するよう通知する（図示Ｄ４）。
【０１８５】
これにより、移動端末５を持つユーザの外出時に、手動遮蔽装置６であっても、その開閉状態を直ちに知らせることができ、いずれかの手動遮蔽装置６の閉じ忘れを防止するのに寄与するようになる。ただし、本例においても主として、移動端末５が、第１ビーコン発信機３’及び第２ビーコン発信機４’の各々の利用に基づくものとすることで「移動端末５を持つユーザの外出判定」を行うものとしているが、移動端末５が、第２ビーコン発信機４’の利用のみに基づくものとすることで「移動端末５を持つユーザの外出／入出判定」を行うように構成して、移動端末５を持つユーザの入出時においても、遮蔽材の開閉状態を通知することで留守中に異常な状態になっていないか等の保安性に有利な動作形態とすることも可能である。
【０１８６】
また、各手動遮蔽装置６の遮蔽材の開閉状態は、ホームサーバー８に集約されて保持されているため、固定端末１２及び移動端末５から常時、確認可能となる。
【０１８７】
〔第２実施形態〕
（開閉状態検知装置）
図２１（ａ）は本発明による第２実施形態の開閉状態検知装置７の概略構成を示す斜視図であり、図２１（ｂ），（ｃ）は本発明による第２実施形態の開閉状態検知装置７におけるセンサーの動作を説明図る図である。尚、本願明細書中、同様な構成要素には同一の参照番号を付している。
【０１８８】
図２１に示す第２実施形態の開閉状態検知装置７は、図３及び図４に示す開閉状態検知装置７の変形例として構成され同一機能を有するものであるから、上述した第１実施形態及び各変形例の遮蔽材状態検知システム１にそのまま利用できる。
【０１８９】
より具体的に、上述した図３に示す開閉状態検知装置７では、センサーとしてエンコーダー７５を用い操作コード６８の移動に係るプーリー７１の回転を検知するものとし、手動遮蔽装置６の操作コード６８に対し開閉状態検知装置７の本体ごと取り付けられるものであるのに対し、図２１（ａ）に示す第２実施形態の開閉状態検知装置７は、畳み込み可能な遮蔽材の所定段おきにスナップアクション機構のマイクロスイッチ７５Ａを設け、この複数のスイッチ７５Ａをセンサーとして用い、複数のマイクロスイッチ７５ＡのＯＮ／ＯＦＦの組み合わせで遮蔽材の開閉状態を演算で決定するように制御ユニット７７を構成している点で相違している。
【０１９０】
従って、図２１（ａ）に示す第２実施形態の開閉状態検知装置７は、図４を参照しながら説明するに、エンコーダー７５の代わりに設けられる複数のマイクロスイッチ７５Ａと、ヘッドボックス６１の内部（又は外部でもよい）に設置される制御ユニット７７、充電端子７８ａ付きのバッテリー７８、及び設定操作部７９とを備える。制御ユニット７７は、手動遮蔽装置６における遮蔽材の開閉を検知するためのセンサーとして機能する複数のマイクロスイッチ７５Ａの出力値を基に当該遮蔽材の開閉状態を演算して記憶部７７２に記憶保持し監視するよう制御する制御部７７１と、当該開閉状態検知装置７の各種の設定情報（デバイスＩＤ、上限及び下限設定等）及び当該遮蔽材の開閉状態を記憶する記憶部７７２と、制御部７７１の制御により、外出判定機２やホームサーバー８と近距離無線通信（ＷｉＦｉ等）を行う近距離無線通信部７７３と、を備えるように構成され、オルタネーター７６は有していない。
【０１９１】
即ち、図２１（ａ）に示す第２実施形態の開閉状態検知装置７は、図４に示す構成において、エンコーダー７５を複数のマイクロスイッチ７５Ａに置き換え、制御部７７１内の設定部７７７１及び開閉状態演算部７７７２が複数のスイッチ７５ＡのＯＮ／ＯＦＦの組み合わせを基に、それぞれ遮蔽材の上限及び下限の設定を行い、遮蔽材の開閉状態を演算で決定するように構成されている点で相違するが、その他の構成要素と動作は図４に示すものと同様に構成される。
【０１９２】
図２１（ａ）に示す第２実施形態の開閉状態検知装置７において、制御ユニット７７における設定部７７７１は、畳み込み可能な遮蔽材の所定段おきに設けられたマイクロスイッチ７５Ａをセンサーとしており、この複数のマイクロスイッチ７５ＡのＯＮ／ＯＦＦの組み合わせで上限及び下限を設定する。
【０１９３】
また、図２１（ａ）に示す第２実施形態の開閉状態検知装置７において、制御ユニット７７における開閉状態演算部７７７２は、同じく複数のマイクロスイッチ７５ＡのＯＮ／ＯＦＦの組み合わせで遮蔽材６２の開閉状態を演算で決定する。
【０１９４】
マイクロスイッチ７５Ａは、変位可能なセンサー部位７５１と、センサー部位７５１の変位によりプッシュ式でＯＮ／ＯＦＦ動作する変位検知部７５２と、そのＯＮ／ＯＦＦ動作を行うための電源供給用端子及びＯＮ／ＯＦＦ動作に対応する信号の出力端子にそれぞれ接続される電線を有するハーネス７５３で構成され、畳み込み可能な遮蔽材６２の所定段おきに配設される。複数のマイクロスイッチ７５Ａの各ハーネス７５３は、電源供給のためにバッテリー７８に接続されると共に、センサー信号として入力するために制御ユニット７７における開閉状態演算部７７７２に接続される。
【０１９５】
このため、図２１（ｂ）に示すようにマイクロスイッチ７５Ａが固着されている位置の遮蔽材６２の非畳み込み時では、マイクロスイッチ７５ＡはＯＦＦ動作を示すセンサー信号を開閉状態演算部７７７２に対し出力し、図２１（ｃ）に示すように畳み込み時では、マイクロスイッチ７５ＡはＯＮ動作を示すセンサー信号を開閉状態演算部７７７２に出力する。
【０１９６】
従って、図２１（ａ）に示す第２実施形態の開閉状態検知装置７において、制御ユニット７７における開閉状態演算部７７７２は、畳み込み可能な遮蔽材の所定段おきに設けられたマイクロスイッチ７５Ａからのセンサー信号の組み合わせで（即ち複数のマイクロスイッチ７５ＡのＯＮ／ＯＦＦの組み合わせで）、遮蔽材６２の開閉状態を演算で決定することができる。
【０１９７】
これにより、図２１に示す第２実施形態の開閉状態検知装置７は、図３及び図４に示す開閉状態検知装置７の変形例として構成され同一機能を有するものであるから、上述した第１実施形態及び各変形例の遮蔽材状態検知システム１にそのまま利用できる。
【０１９８】
以上、開閉状態検知装置７を有する手動遮蔽装置６を備える代表的な実施形態及び変形例の遮蔽材状態検知システム１について説明したが、本発明は上述した各実施形態及び変形例から更なる種々の変形例で構成することができる。
【０１９９】
例えば、上述の実施形態の例では、ホームサーバー８が手動遮蔽装置６のみの遮蔽材の開閉状態を管理する例を説明したが、ホームサーバー８に電動遮蔽装置における遮蔽材の開閉状態をも管理する構成とすることができる。
【０２００】
また、上述の実施形態の例では、開閉状態検知装置７は、近距離無線通信部７７３によりホームサーバー８に対し近距離無線通信による通信接続を行ってホームサーバー８に対し対応する手動遮蔽装置６の遮蔽材の開閉状態を通知し、ホームサーバー８から当該遮蔽材の開閉状態を移動端末５に通知させるよう構成した例を主として説明したが、開閉状態検知装置７は、このような間接的な通知のみに依らず、近距離無線通信部７７３により直接的に当該遮蔽材の開閉状態を移動端末５に通知する機能を有するように構成することもできる。
【０２０１】
また、上述の実施形態の例では、外出判定機２、又はホームサーバー８、或いは移動端末５によって、建物Ｈの玄関Ｈ２及び建物の屋内Ｈ１に設置されるビーコン通信機又はビーコン発信機からのビーコン信号（具体的な構成としては２つのビーコン信号）を基に、移動端末５を持つユーザの外出（又は入出）を判定する例を説明したが、移動端末５が手動遮蔽装置６を設置する建物ＨのＧＰＳ情報と、移動端末５のＧＰＳ情報との差異で建物Ｈからの外出（又は入出）時であるとして判定する機能を有するように構成してもよい。この場合、ホームサーバー８は、そのような判定機能を有する移動端末５から通知信号を受け付けて作動し、開閉状態検知装置７に対し遮蔽材の開閉状態要求を行うように構成される。この場合も、開閉状態検知装置７は、ホームサーバー８から、当該手動遮蔽装置６における遮蔽材の開閉状態要求があったときに、近距離無線通信部７７３によりホームサーバー８に対し近距離無線通信による通信接続を行ってホームサーバー８に対し対応する手動遮蔽装置６の遮蔽材の開閉状態を通知し、ホームサーバー８から当該遮蔽材の開閉状態を移動端末５に通知する構成とすることができる。
【０２０２】
〔第１及び第２実施形態に対する更なる変形例〕
また、上述の図１乃至図２１に示す第１及び第２実施形態の例では、特に移動端末５を持つユーザの屋内からの外出時に、屋外から、屋内の開閉状態検知装置７を有する手動遮蔽装置６における遮蔽材の開閉状態を、確認することができる遮蔽材状態検知システム１について説明したが、移動端末５を持つユーザの間仕切り領域内からの外出時に、間仕切り領域外から、間仕切り領域内の当該手動遮蔽装置６における遮蔽材の開閉状態を確認することができる遮蔽材状態検知システム１を構成することもできる。
【０２０３】
図２２は、本発明による第１及び第２実施形態に対する更なる変形例の遮蔽材状態検知システム１の概略構成を示す平面図である。尚、図２２において、上述した第１及び第２実施形態における構成要素と同様な構成要素には、同一の参照番号を付している。
【０２０４】
図２２に示す更なる変形例の遮蔽材状態検知システム１は、移動端末５を持つユーザの間仕切り領域内からの外出時に、間仕切り領域外から、間仕切り領域内の当該手動遮蔽装置６における遮蔽材の開閉状態を確認することができるように構成した例であり、通路を隔てて間仕切り領域Ａ乃至Ｂの各間仕切り領域に、上述の図１乃至図２１に示す第１及び第２実施形態のシステム構成を適用した例である。即ち、間仕切り領域Ａ乃至Ｂ内には、それぞれ上述の図１乃至図２１に示す開閉状態検知装置７を有する当該手動遮蔽装置６、ここでは無線ルーター９と接続され外出判定機２を機能として有するホームサーバー８、及び第１双方向ビーコン通信機３（又は第１ビーコン発信機３’）が配設されたシステム構成と、各間仕切り領域のシステム構成に接続され各間仕切り領域の通路側壁部に設置されるスマートスピーカ１１と、各間仕切り領域Ａ乃至Ｂのシステム構成に対して共有するように通路側のへ壁部に第２双方向ビーコン通信機４（又は第２ビーコン発信機４’）が配設されて、各間仕切り領域Ａ乃至Ｂの全体として、遮蔽材状態検知システム１を構成している。そして、移動端末５を持つユーザＵが、例えば間仕切り領域Ｂ内からの外出時に、間仕切り領域Ｂ内の外出判定機２によりその外出判定を行い、そのホームサーバー８が移動端末５又は間仕切り領域Ｂの壁部に設置されるスマートスピーカ１１にユーザＩＤ別開閉状態通知信号を発信する。これにより、移動端末５を持つユーザの間仕切り領域内からの外出時に、間仕切り領域Ｂ外から、間仕切り領域Ｂ内の当該手動遮蔽装置６における遮蔽材の開閉状態を確認することができる。
【０２０５】
従って、上述の図１乃至図２１に示す第１及び第２実施形態の遮蔽材状態検知システム１を、１つまたは複数の間仕切り領域に対して適用することができる。このような間仕切り領域に対して適用する遮蔽材状態検知システム１は、例えば家屋内の各部屋とすることや、ホテルの客室、雑居ビルのテナント当への適用が想定される。
【０２０６】
〔第３実施形態〕
上述した図１乃至図２２において、開閉状態検知装置７を有する手動遮蔽装置６を備える代表的な実施形態及び変形例の遮蔽材状態検知システム１について説明したが、上述したそれぞれの実施形態及び変形例において、当該開閉状態検知装置７を有する手動遮蔽装置６の一部又は全部を、電動遮蔽装置６Ｅに置き換えた遮蔽材状態検知システム１を構成することもできる。
【０２０７】
例えば、代表して、図２３には、上述した図１７及び図１８に示す遮蔽材状態検知システム１における当該開閉状態検知装置７を有する手動遮蔽装置６の全部を、電動遮蔽装置６Ｅに置き換えて、本発明による第３実施形態の遮蔽材状態検知システム１として構成した例を示している。尚、図２３において、上述した第１及び第２実施形態における構成要素と同様な構成要素には、同一の参照番号を付している。
【０２０８】
図２３に例示する電動遮蔽装置６Ｅは、ここでは、代表的な電動横型ブラインドとして構成される例を示している。
【０２０９】
電動遮蔽装置６Ｅとして構成される各電動横型ブラインドは、部屋内の各窓枠に対し設置され、遮蔽材として多数段のスラット６２及びボトムレール６３を備え、この多数段のスラット６２の開閉（昇降・チルト操作）を電動制御する制御装置７Ｅが本例ではヘッドボックス６１内の長手方向略中央部に設けられている。この制御装置７Ｅが、上述した第１及び第２実施形態の遮蔽材状態検知システム１における当該開閉状態検知装置７の図４に示す制御ユニット７７と同等の機能を有している。
【０２１０】
より具体的に、電動遮蔽装置６Ｅとして構成される各電動横型ブラインドは、ヘッドボックス２の長手方向の両側部近傍から垂下されるラダーコード６０を介して多数段のスラット６２が吊下支持され、そのラダーコード６０の下端にボトムレール６３が吊下支持されている。
【０２１１】
また、ヘッドボックス６１から各ラダーコード６０に近接して昇降コード６４が垂下され、昇降コード６４の下端にボトムレール６３が取着されている。
【０２１２】
ヘッドボックス６１内には、それぞれ組を為すラダーコード６０及び昇降コード６４を吊下支持する支持部材６５Ｅが２箇所に配設され、各支持部材６５Ｅには六角棒状の駆動軸６６が挿通されている。尚、支持部材６５Ｅには、昇降コード６４の上端を取着して巻き取り、或いは巻き戻す巻取ドラムと、この巻取ドラムと同軸上に、ラダーコード６０の前後の縦糸の相対移動を行うチルトドラムとが設けられ、この巻取ドラム及びチルトドラムは、駆動軸６６の回転に伴って一体となって回転する。本例のチルトドラムは、ラダーコード６０の前後の縦糸の上端を結び付けて掛装しており、スラット６２が所定のチルト角度になるとラダーコード６０の前後の縦糸の上端がチルトドラムに対して滑りが生じるようになっており、これによりスラット６２が所定の角度範囲内で回動するようになっている。尚、電動横型ブラインドの種類の中には、巻取ドラムの回転専用の第１駆動軸、及びチルトドラム専用の第２駆動軸を設けて、その第１駆動軸及び第２駆動軸を個別に制御する形態や、チルトドラムに捩じりコイルスプリングを巻着し、この捩じりコイルスプリングにラダーコード６０の前後の縦糸の上端を取着する形態など、種々の形態があるが、いずれの形態でも、図２３に例示する電動遮蔽装置６Ｅとして利用できる。
【０２１３】
そして、ヘッドボックス６１内の長手方向一端側にはモーター９１が配設され、モーター９１の出力軸に当該駆動軸６６の一端が連結されている。また、駆動軸６６の回転量は、駆動軸６６上に配設されるエンコーダー９２によって検出される。そして、制御装置７Ｅは、図２３では図示しない有線又は無線（赤外線による片方向通信や無線ＬＡＮ等による双方向通信を含む）で通信接続された操作装置（有線スイッチ、赤外線リモートコントローラ、無線リモートコントローラ、パーソナルコンピュータ等）からの操作コマンドを受信して、エンコーダー９２からのパルス信号を監視しながらモーター９１の駆動制御を行い、モーター９１の作動に基づいて当該駆動軸６６が正逆転され、その駆動軸６６の正逆転に基づいてラダーコード６０を介して各スラット６２が回動（チルト）され、或いは昇降コード６４を介してボトムレール６３が昇降されて各スラット６３が昇降される。
【０２１４】
ヘッドボックス６１内の長手方向他端側には、電源ユニット９０が配設されている。そして、電源ユニット９０から制御装置７Ｅやモーター８０等に対して電源供給される。
【０２１５】
特に、制御装置７Ｅは、有線又は無線で通信接続された当該操作装置（有線スイッチ、赤外線リモートコントローラ、無線リモートコントローラ、パーソナルコンピュータ等）以外にも、ホームサーバー８から、或いはホームサーバー８経由で移動端末５からの操作信号に基づいてモーター９１の駆動制御で多数段のスラット６２の開閉（昇降・チルト操作）を電動制御するように構成される。
【０２１６】
（制御装置７Ｅの構成）
図２４は、本発明による第３実施形態の遮蔽材状態検知システム１に係る電動遮蔽装置６Ｅが備える制御装置７Ｅの概略構成を示すブロック図である。図２４において、上述した第１及び第２実施形態の遮蔽材状態検知システム１における当該開閉状態検知装置７の図４に示す制御ユニット７７と同等の機能を有する構成要素には同一の参照番号を付している。
【０２１７】
制御装置７Ｅは、制御部７７１Ｅ、記憶部７７２、近距離無線通信部７７３、通信部７７４、モーター駆動部７７５、及びエンコーダー信号受信部７７６を備える。
【０２１８】
まず、近距離無線通信部７７３は、図４に示す制御ユニット７７と同等の機能として、外出判定機２やホームサーバー８と近距離無線通信（ＷｉＦｉ等）を行う機能部であり、更に、本例ではホームサーバー８経由で、或いは直接的に、移動端末５との通信を可能とする機能部である。
【０２１９】
また、通信部７７４は、操作装置６７Ｅ（有線スイッチ、赤外線リモートコントローラ、無線リモートコントローラ、パーソナルコンピュータ等）との有線又は無線の通信を可能とする機能部である。
【０２２０】
モーター駆動部７７５は、制御部７７１Ｅの制御により、モーター９１を駆動するためのモータードライバーである。
【０２２１】
エンコーダー信号受信部７７６は、遮蔽材の開閉（電動横型ブラインドのときは、遮蔽材の開度とチルト率）を検知するためのセンサーとして機能するエンコーダー９２の出力値（エンコーダーパルス信号）を入力し制御部７７１Ｅに送出する機能部である。
【０２２２】
そして、制御部７７１Ｅは、マイクロプロセッサにより構成することができ、設定部７７７１、開閉状態監視部７７７３、開閉状態通知部７７７４、及び開閉制御部７７７５を備える。
【０２２３】
設定部７７７１は、図４に示す制御ユニット７７と同等の機能として、ユーザインタフェースとして機能する操作装置６７Ｅ（有線スイッチ、赤外線リモートコントローラ、無線リモートコントローラ、パーソナルコンピュータ等）、ホームサーバー８から、或いはホームサーバー８経由で移動端末５、又はパーソナルコンピュータ等の固定端末１２からの設定コマンドを含む操作信号を受け付けて、外出判定機２との通信（本例では近距離無線通信）を行うための設定（ビーコンＩＤ設定を含む。）と、ホームサーバー８との通信（本例では近距離無線通信）を行うための設定（自装置のデバイスＩＤ設定を含む。）と、当該遮蔽材の上限設置、及び下限設定を行い、記憶部７７２に記憶保持する機能部である。尚、上述したようにホームサーバー８が外出判定機２の機能を有していてもよい。また、記憶部７７２は、内容を書き換え可能で、且つ電源供給が喪失された場合でも、内容が消失しないＥＥＰＲＯＭを用いるのが好適であり、記憶部７７２には制御部７７１の機能を実現するためのプログラムも格納されている。
【０２２４】
開閉状態監視部７７７３は、図４に示す制御ユニット７７と同等の機能として、後述する開閉制御部７７７５によって開閉制御した当該遮蔽材の開閉状態を記憶部７７２に記憶保持し監視する機能部であり、記憶部７７２に記憶保持した当該遮蔽材の開閉状態が更新される度に、開閉状態通知部７７７４を機能させてホームサーバー８に通知し管理させる。
【０２２５】
開閉状態通知部７７７４は、図４に示す制御ユニット７７と同等の機能として、近距離無線通信部７７３を制御して、記憶部７７２に記憶保持した当該遮蔽材の開閉状態が更新される度にホームサーバー８に通知する機能、外出判定機２からの信号（上述した開閉状態要求信号）を近距離無線通信（ＷｉＦｉ等）で受け付ける度に、当該遮蔽材の開閉状態を移動端末５（或いは固定端末１２でもよい）に通知するべくホームサーバー８と近距離無線通信を確立する機能を有する機能部である。尚、開閉状態通知部７７７４は、固定端末１２（或いは移動端末５でもよい）から近距離無線又は通信網１０経由でホームサーバー８に開閉状態要求があった場合も、当該遮蔽材の開閉状態を応答通知するべくホームサーバー８と近距離無線通信を確立する機能を有するものとしてもよい。
【０２２６】
開閉制御部７７７５は、通信部７７４経由で受信した、有線又は無線で通信接続された当該操作装置（有線スイッチ、赤外線リモートコントローラ、無線リモートコントローラ、パーソナルコンピュータ等）からの操作信号（昇降・チルト操作の操作コマンド、及び上述した設定コマンドを含む）、又は近距離無線通信部７７３経由で受信した、ホームサーバー８から、或いはホームサーバー８経由で移動端末５からの当該操作信号に基づいて、モーター駆動部７７５を介してモーター９１の駆動制御を行い、多数段のスラット６２の開閉（昇降・チルト操作）を電動制御する。尚、開閉制御部７７７５は、エンコーダー信号受信部７７６を介してエンコーダーパルス信号を入力し、そのエンコーダーパルス信号のカウント値を基に、開閉状態監視部７７７３によりエンコーダーパルス信号のカウント値で監視されている当該遮蔽材の開閉状態からの開閉動作を行うよう、モーター駆動部７７５を介してモーター９１の駆動制御を行う。
【０２２７】
このように、制御装置７Ｅは、開閉制御部７７７５により電動で遮蔽材の開閉動作を行うよう制御するとともに、図４に示す制御ユニット７７と同等の機能として、設定部７７７１、開閉状態監視部７７７３、及び開閉状態通知部７７７４を備えているため、制御装置７Ｅを備える電動遮蔽装置６Ｅは、上述した図１乃至図２２において、当該開閉状態検知装置７を有する手動遮蔽装置６の一部又は全部を、電動遮蔽装置６Ｅに置き換えた遮蔽材状態検知システム１を構成することができる。即ち、包括的には、電動遮蔽装置６Ｅを備える遮蔽材状態検知システム１においては、ホームサーバー８は、遮蔽材の開閉状態の通知を電動遮蔽装置６Ｅから受信して記憶部８６に記憶保持し、特に移動端末５を持つユーザの外出判定時に、該遮蔽材の開閉状態が設定された所定の通知条件を満たすときに、該遮蔽材の開閉状態を予め登録した移動端末５に通知することができる。
【０２２８】
（ホームサーバー）
ところで、電動遮蔽装置６Ｅを備える遮蔽材状態検知システム１においては、ホームサーバー８は、図１３に示す構成により、遮蔽材の開閉状態の通知を電動遮蔽装置６Ｅから受信して記憶部８６に記憶保持し、且つ該遮蔽材の開閉状態が設定された所定の通知条件を満たすときに該遮蔽材の開閉状態を予め登録した移動端末５に通知する機能に加えて、移動端末５からの当該通知に対する通知応答信号に応じて、当該通知に該当する電動遮蔽装置６Ｅにおける遮蔽材を開閉制御する機能を有するように構成することができる。
【０２２９】
より具体的に、図２５は、本発明による第３実施形態の遮蔽材状態検知システム１に係るホームサーバー８の概略構成を示すブロック図である。尚、図２５において、図１３に示すものと同様の構成要素には同一の参照番号を付している。
【０２３０】
図２５に示すホームサーバー８は、制御部８１、操作部８２、表示部８３、近距離無線通信部８４、通信部８５、記憶部８６、及び通信部８７を備える。
【０２３１】
また、制御部８１は、設定部８１１、開閉状態通知受信制御部８１２、デバイス別開閉状態・通知判定部８１３、デバイス別開閉状態通知送信制御部８１４、開閉状態管理部８１５、応答操作履歴蓄積管理部８１６、及び応答操作処理部８１７を備える。
【０２３２】
即ち、図２５に示すホームサーバー８は、図１３に示す構成と比較して、制御部８１の機能として、応答操作履歴蓄積管理部８１６、及び応答操作処理部８１７を更に備える点、並びに、図１３に示すものと相違しており、更に、応答操作処理部８１７に係る通信部８７を更に備える点で相違しており、その他の機能部の構成は同様である。
【０２３３】
このため、以下、応答操作履歴蓄積管理部８１６、及び応答操作処理部８１７、並びに、関連するデバイス別開閉状態通知送信制御部８１４の機能と、通信部８７について説明し、その他の機能部の更なる説明は省略する。
【０２３４】
まず、応答操作処理部８１７は、デバイス別開閉状態通知送信制御部８１４の機能により、特に移動端末５を持つユーザの外出判定時に、近距離無線通信部８４を介して、設定された所定の通知条件を満たすときの移動端末５に対する電動遮蔽装置６Ｅにおける遮蔽材の開閉状態の通知後、その移動端末５から、当該通知によって遮蔽材の開閉状態が示された電動遮蔽装置６Ｅに対する操作コマンドを含む通知応答信号を受け付け、デバイス別開閉状態通知送信制御部８１４の機能を利用して、近距離無線通信部８４を介して、当該電動遮蔽装置６Ｅに対しその操作コマンドを含む操作信号を送信して開閉制御させる機能を有する。
【０２３５】
また、応答操作処理部８１７は、デバイス別開閉状態通知送信制御部８１４の機能により、特に移動端末５を持つユーザの外出判定時に、近距離無線通信部８４を介して、設定された所定の通知条件を満たすときのスマートスピーカ１１に対する電動遮蔽装置６Ｅにおける遮蔽材の開閉状態の通知後、そのスマートスピーカ１１から、当該通知によって遮蔽材の開閉状態が示された電動遮蔽装置６Ｅに対する操作コマンドを含む通知応答信号を受け付け、当該電動遮蔽装置６Ｅに対しその操作コマンドを含む操作信号を送信して開閉制御させる機能を更に有する。
【０２３６】
尚、移動端末５とホームサーバー８との通信は、インターネット等の通常の通信網無線通信を行うための機能部である通信部８５を介して、通信網１０又は無線基地局１０ａを介して行う形態としてもよい。
【０２３７】
そして、応答操作履歴蓄積管理部８１６は、移動端末５又はスマートスピーカ１１から受信した通知応答信号に基づく応答操作履歴を記憶部８６に蓄積して管理する機能を有し、その応答操作履歴として、応答操作したユーザを識別する応答操作ユーザＩＤ、応答操作に係る遮蔽材の開閉制御に関する通知の応答操作内容、応答操作日時、及び応答操作時の気温又は天候のうち１以上を管理する。
【０２３８】
ここで、応答操作履歴蓄積管理部８１６は、応答操作時（即ち、移動端末５又はスマートスピーカ１１からの通知応答信号の受信時）に、インターネット等の通常の通信網無線通信を行うための機能部である通信部８７を介して、気温又は天候の情報を提供するサービス提供サーバと通信接続し、応答操作時の気温又は天候の情報を取得する機能を有する。
【０２３９】
更に、応答操作履歴蓄積管理部８１６は、その応答操作履歴の情報と、電動遮蔽装置６Ｅの遮蔽材の開閉状態を管理する開閉状態管理部８１５から、記憶部８６にて記憶管理する当該電動遮蔽装置６Ｅの遮蔽材の開閉状態を更新した最新の日時を示す開閉状態更新日時の情報のいずれか一方又は双方を「付帯情報」として、デバイス別開閉状態通知送信制御部８１４による通知応答信号に含めるように制御する機能を有する。
【０２４０】
また、応答操作処理部８１７は、移動端末５又はスマートスピーカ１１から受信した通知応答信号に基づく応答操作履歴を蓄積管理する機能を有するものとし、その応答操作履歴として、応答操作したユーザを識別する応答操作ユーザＩＤ、応答操作に係る遮蔽材の開閉制御に関する通知の応答操作内容、応答操作日時、及び応答操作時の気温又は天候のうち１以上を管理する機能を有する。
【０２４１】
即ち、ホームサーバー８は、設定された所定の通知条件を満たすときの移動端末５に対する電動遮蔽装置６Ｅにおける遮蔽材の開閉状態の通知後に、その移動端末５から、当該通知によって遮蔽材の開閉状態が示された電動遮蔽装置６Ｅに対する操作コマンドを含む通知応答信号を受け付け、当該電動遮蔽装置６Ｅに対しその操作コマンドを含む操作信号を送信して開閉制御させる機能を更に有するものとする。
【０２４２】
また、ホームサーバー８は、設定された所定の通知条件を満たすときのスマートスピーカ１１に対する電動遮蔽装置６Ｅにおける遮蔽材の開閉状態の通知後に、そのスマートスピーカ１１から、当該通知によって遮蔽材の開閉状態が示された電動遮蔽装置６Ｅに対する操作コマンドを含む通知応答信号を受け付け、当該電動遮蔽装置６Ｅに対しその操作コマンドを含む操作信号を送信して開閉制御させる機能を更に有するものとする。
【０２４３】
また、ホームサーバー８は、移動端末５又はスマートスピーカ１１から受信した通知応答信号に基づく応答操作履歴を蓄積管理する機能を有するものとし、その応答操作履歴として、応答操作したユーザを識別する応答操作ユーザＩＤ、応答操作に係る遮蔽材の開閉制御に関する通知の応答操作内容、応答操作日時、及び応答操作時の気温又は天候のうち１以上を管理する機能を有し、その応答操作履歴と記憶部８６にて記憶管理する当該電動遮蔽装置６Ｅの遮蔽材の開閉状態を更新した最新の日時を示す開閉状態更新日時のいずれか一方又は双方を付帯情報として当該通知応答信号に含めるように制御する機能を有するものとする。
【０２４４】
図２６（ａ）はそのホームサーバー８における電動遮蔽装置６Ｅ（本例では、スラットの開度及びチルト率を制御可能とする電動横型ブラインド）に関する管理情報を例示する図であり、図２６（ｂ）は通知対象となる電動遮蔽装置６Ｅにおける遮蔽材の開閉状態が移動端末５にプッシュ通知されるときの内容を例示する図である。
【０２４５】
例えば、記憶部８６には、図２６（ａ）に例示するように、ホームサーバー管理情報として、デバイスＩＤ毎に手動遮蔽装置６における遮蔽材の開閉状態を更新するよう管理するためのデバイス登録／状態管理テーブルと、ユーザＩＤ毎にフロア登録に応じた送付メッセージを登録し送付メッセージとその通知先及び通知方法（プッシュ通知、音声通知又はメール通知等）を管理するためのユーザ登録／管理テーブルと、デバイス毎に、上記の付帯情報（開閉状態更新日時及び応答操作履歴）を管理するための付帯情報管理テーブルが保持される。
【０２４６】
そして、図２６（ｂ）に示すように、ホームサーバー８から通知対象となる電動遮蔽装置６Ｅにおける遮蔽材の開閉状態が移動端末５にプッシュ通知されるときの内容を例示しており、メッセージＭ１として「ｘｘｘのブラインドが開いています。」、メッセージＭ２として「現在の状態  開度：５０％、チルト率：２０％」、メッセージＭ３として「応答操作を行いますか？」が提示される。また、メッセージＭ３には、応答操作を行うか否かを問い合わせるボタンＭ３１，Ｍ３２と、付帯情報の参照を問うボタンＭ３３が設けられ、ボタンＭ３１がユーザ選択されると、当該電動遮蔽装置６Ｅにおける遮蔽材の開閉を操作するインストール済みのアプリケーションが自動起動するようにリンクされ、ボタンＭ３２がユーザ選択されると、当該メッセージＭ１〜Ｍ３が画面上から消えて、移動端末５におけるデフォルト画面に移行する。また、ボタンＭ３３がユーザ選択されると、付帯情報を参照できるようになっている。
【０２４７】
ユーザは、付帯情報を参照することで、その好適な応答操作履歴として、誰が（応答操作ユーザＩＤ）、どのような操作（応答操作内容）を、いつ（応答操作日時）、どのような環境条件（気温又は天候）で行ったかを知ることができる。また、ユーザは、外出時の通知時に付帯情報を参照して、開閉状態更新日時の情報を得ることで、自身が遮蔽材の開閉の操作忘れが生じたのか、別の居住者が操作したものであるかも把握することができる。
【０２４８】
尚、図２３に例示する第３実施形態の遮蔽材状態検知システム１における、移動端末５を持つユーザの外出判定から、その外出判定に基づく開閉状態通知を電動遮蔽装置６Ｅからホームサーバー８に通知するまでの一連の動作は、開閉状態検知装置７を有する手動遮蔽装置６を電動遮蔽装置６Ｅに置き換えた図１７及び図１８に示すものと同様であることから、以下、外出判定に基づく開閉状態通知を電動遮蔽装置６Ｅからホームサーバー８に通知後の動作について、図２７及び図２８を参照して説明する。
【０２４９】
図２７は、図２５に示すホームサーバー８を上述した図２３に例示する第３実施形態の遮蔽材状態検知システム１に適用したときの応用例を示すブロック図であり、図２８は、その応用例の全体動作を例示するフローチャートである。
【０２５０】
まず、図２８に示す動作を説明するに、ホームサーバー８は、上述した第１及び第２実施形態と同様、デバイスＩＤに基づいて変形例として各電動遮蔽装置６Ｅの遮蔽材の開閉状態を集約して記憶保持しており、各デバイスＩＤに係る開閉状態通知信号（ユーザＩＤ，デバイスＩＤ付き）を受信する度に（図２８：Ｓ５０）、対応する電動遮蔽装置６Ｅの遮蔽材の開閉状態を更新して記憶保持すると共に、その更新される開閉状態について所定の通知条件に基づきユーザに通知すべきか否かを判定した上で、無線ルーター９経由の近距離無線通信で、又は無線基地局１０ａを経た無線通信経由で移動端末５にユーザＩＤ別開閉状態通知信号として通知（プッシュ通知、音声通知又はメール通知）するか、或いは近距離無線通信でスマートスピーカ１１にて音声発信で通知する（図２８：Ｓ５１）。
【０２５１】
ユーザＩＤ別開閉状態通知信号の通知を受信した移動端末５は、図２６（ｂ）に例示した画面表示を行い（図２８：Ｓ５２）、ユーザＩＤ別開閉状態通知信号の通知を受信したスマートスピーカ１１は、図２６（ｂ）に例示した画面表示に対応するメッセージの音声発信を行う（図２８：Ｓ５４）。
【０２５２】
そして、ユーザ操作により移動端末５からそのユーザＩＤ別開閉状態通知信号の通知に対する通知応答として操作コマンドを含む通知応答信号をホームサーバー８に返信すると（図２８：Ｓ５３）、或いはユーザ発話によりに操作指示を操作コマンドに変換する機能を有するスマートスピーカ１１からそのユーザＩＤ別開閉状態通知信号の通知に対する通知応答として操作コマンドを含む通知応答信号をホームサーバー８に返信すると（図２８：Ｓ５５）、ホームサーバー８は、応答操作処理部８１７による応答操作処理を実行し、該当する電動遮蔽装置６Ｅに対し当該操作コマンドを含む操作信号を送信する（図２８：Ｓ５６）。
【０２５３】
当該操作コマンドを含む操作信号を受信した電動遮蔽装置６Ｅは、当該操作コマンドに対応する遮蔽材の開閉動作を行うよう制御し（図２８：Ｓ５７）、この制御による遮蔽材の開閉状態を示す開閉状態通知信号をホームサーバー８に通知し、上述したステップＳ５１の動作を繰り返す。
【０２５４】
以後、ホームサーバー８は、応答操作履歴蓄積管理部８１６の機能により、移動端末５又はスマートスピーカ１１から受信した通知応答信号に基づく応答操作履歴を蓄積管理し、その応答操作履歴と記憶部８６にて記憶管理する当該電動遮蔽装置６Ｅの遮蔽材の開閉状態を更新した最新の日時を示す開閉状態更新日時のいずれか一方又は双方を付帯情報として当該通知応答信号に含めるように制御する（図２８：Ｓ５８）。
【０２５５】
従って、図２７に示すように、ホームサーバー８は、例えば無線ルーター９経由の近距離無線通信で、移動端末５にユーザＩＤ別開閉状態通知信号を通知（プッシュ通知、音声通知又はメール通知）するか、或いはスマートスピーカ１１にて音声発信で通知すると（図２７：Ｃ３，Ｃ４）、移動端末５、或いはスマートスピーカ１１から、操作コマンドを含む通知応答信号を受信することができる（図２７：Ｃ５，Ｃ６）。
【０２５６】
そして、ホームサーバー８は、応答操作処理を実行し、該当する電動遮蔽装置６Ｅに対し当該操作コマンドを含む操作信号を送信し、当該操作コマンドに対応する遮蔽材の開閉を制御させることができる（図２７：Ｃ７，Ｃ７’）。
【０２５７】
また、ホームサーバー８は、移動端末５又はスマートスピーカ１１から受信した通知応答信号に基づく応答操作履歴を蓄積管理し、その応答操作履歴として、応答操作したユーザを識別する応答操作ユーザＩＤ、応答操作に係る遮蔽材の開閉制御に関する通知の応答操作内容、応答操作日時、及び応答操作時の気温又は天候のうち１以上や、当該電動遮蔽装置６Ｅの遮蔽材の開閉状態を更新した最新の日時を示す開閉状態更新日時の情報を付帯情報として、移動端末５及びスマートスピーカ１１に通知することができる。
【０２５８】
従って、電動遮蔽装置６Ｅを備える遮蔽材状態検知システム１において、ホームサーバー８は、図２５に示す構成とすることにおり、該遮蔽材の開閉状態が設定された所定の通知条件を満たすときに該遮蔽材の開閉状態を予め登録した移動端末５に通知する機能に加えて、移動端末５からの当該通知に対する通知応答信号に応じて、当該通知に該当する電動遮蔽装置６Ｅにおける遮蔽材を開閉制御する機能を有するように構成することで、より利便性を向上させることができる。
【０２５９】
以上、代表的な実施形態及び変形例について説明したが、本発明は上述した各実施形態及び変形例から更なる種々の変形例で構成することができ、本発明は特許請求の範囲の記載によってのみ制限される。
【産業上の利用可能性】
【０２６０】
本発明によれば、手動遮蔽装置及び／又は電動遮蔽装置に対して、通信端末を用いて、ユーザの外出時等を含み、屋外又は間仕切り領域外から屋内又は間仕切り領域内の当該手動遮蔽装置及び／又は電動遮蔽装置における遮蔽材の開閉状態を確認することができるようになるので、遮蔽装置における遮蔽材の状態管理の用途に有用である。
【符号の説明】
【０２６１】
１  遮蔽材状態検知システム
２  外出判定機
３  第１双方向ビーコン通信機
３’  第１ビーコン発信機
４  第２双方向ビーコン通信機
４’  第２ビーコン発信機
５  移動端末
６  手動遮蔽装置
６Ｅ  電動遮蔽装置
７  開閉状態検知装置
８  ホームサーバー
９  無線ルーター
１０  通信網
１０ａ  無線基地局
１１  スマートスピーカ
６１  ヘッドボックス
６１ａ  コード導出口
６２  遮蔽材
６８  操作コード
７０  板バネ
７１  プーリー
７１ａ  回転軸
７２  支持部材
７３，７４  本体ケース
７５  エンコーダー
７５Ａ  マイクロスイッチ
７６  オルタネーター
７７  制御ユニット
７８  バッテリー
７７１  制御部
７７２  記憶部
７７３  近距離無線通信部
７７７１  設定部
７７７２  開閉状態演算部
７７７３  開閉状態監視部
７７７４  開閉状態通知部
【図１】
2020153219.tif 000003
【図２】
2020153219.tif 000004
【図３】
2020153219.tif 000005
【図４】
2020153219.tif 000006
【図５】
2020153219.tif 000007
【図６】
2020153219.tif 000008
【図７】
2020153219.tif 000009
【図８】
2020153219.tif 000010
【図９】
2020153219.tif 000011
【図１０】
2020153219.tif 000012
【図１１】
2020153219.tif 000013
【図１２】
2020153219.tif 000014
【図１３】
2020153219.tif 000015
【図１４】
2020153219.tif 000016
【図１５】
2020153219.tif 000017
【図１６】
2020153219.tif 000018
【図１７】
2020153219.tif 000019
【図１８】
2020153219.tif 000020
【図１９】
2020153219.tif 000021
【図２０】
2020153219.tif 000022
【図２１】
2020153219.tif 000023
【図２２】
2020153219.tif 000024
【図２３】
2020153219.tif 000025
【図２４】
2020153219.tif 000026
【図２５】
2020153219.tif 000027
【図２６】
2020153219.tif 000028
【図２７】
2020153219.tif 000029
【図２８】
2020153219.tif 000030